(57)【要約】【課題】再遊技が高い確率で行われる期間において行われる演出に対して遊技者の抱く期待感を高めることができる遊技機を提供する。【解決手段】遊技機（１）は、表示例Ａに示すキャラクタ（２０１）〜キャラクタ（２０４）のうち遊技者により選択されたキャラクタに対応するキャラクタ識別子が決定された後に開始するＲＴ２区間では、決定されたキャラクタ識別子に基づいて決定された演出テーブルから演出識別子を決定する副制御回路（７２）を備える。【選択図】図７
2007295963.tif 000002
【特許請求の範囲】
【請求項１】
複数列で図柄を表示する図柄表示手段と、
遊技者による開始操作の検出を行う開始操作検出手段と、
当籤役を決定するための当籤役決定情報を格納する当籤役決定情報格納手段と、
前記開始操作検出手段により行われる開始操作の検出を条件に、前記当籤役決定情報格納手段により格納される当籤役決定情報に基づいて当籤役を決定する当籤役決定手段と、
前記開始操作検出手段により行われる開始操作の検出を条件に、前記複数列で表示される図柄の変動を行う図柄変動手段と、
遊技者による停止操作の検出を行う停止操作検出手段と、
前記停止操作検出手段により行われる停止操作の検出と前記当籤役決定手段により決定される当籤役とに基づいて前記図柄変動手段により行われる図柄の変動の停止制御を行う停止制御手段と、
演出データを複数格納する演出データ格納手段と、
前記演出データ格納手段に格納される複数の演出データから演出データを決定する演出データ決定手段と、
前記演出データ決定手段により決定された演出データに基づいて演出を行う演出手段と、
前記演出手段により明示された複数の選択項目のうちから遊技者により行われた選択操作種別の検出を行う選択操作検出手段と、
前記選択操作検出手段により行われる選択操作種別の検出を条件に、この選択操作種別に応じる選択データを決定する選択データ決定手段と、
を備え、
前記当籤役決定情報は、再遊技に係る当籤役が決定される確率が第１の確率である第１の当籤役決定情報と、前記再遊技に係る当籤役が決定される確率が前記第１の確率より高い第２の確率である第２の当籤役決定情報とを含み、
前記当籤役決定手段は、前記図柄表示手段により特定の図柄の組合せが表示されてから所定の条件を充足するまでの特定の期間では、前記第２の当籤役決定情報に基づいて当籤役を決定し、
前記演出データ決定手段は、前記特定の期間では、前記選択データ決定手段により決定された選択データに基づいて、前記複数の演出データから演出データを決定することを特徴とする遊技機。
【請求項２】
請求項１記載の遊技機において、
ボーナスの当否を示唆する要素、ボーナスの種別を示唆する要素、及び設定値を示唆する要素のうち少なくとも一つが対応付けられた演出データが前記選択データに対応して設けられ、
前記選択データ決定手段により所定の選択データが決定された場合に、前記要素のうち少なくとも一つが対応付けられた演出データであって、この所定の選択データに対応して設けられる特定の演出データが決定される確率は、相対的に高いことを特徴とする遊技機。
【請求項３】
請求項１又は２記載の遊技機において、前記選択操作検出手段は、前記図柄表示手段により前記特定の図柄の組合せが表示されたことを契機として前記演出手段により明示された複数の選択項目のうちから遊技者により行われた選択操作種別の検出を行うことを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下、「ＢＢ」と略記する）と、遊技者に相対的に小さい利益を与える遊技を所定ゲーム数行える役（「レギュラーボーナス」と称し、以下、「ＲＢ」と略記する）がある。
【０００４】
また、現在主流の機種においては、有効化された成立ライン（以下、「有効ライン」という）に沿って所定の図柄の組合せが並び、コイン、メダル等が払出される入賞が成立するには、内部的な抽籤処理（以下、「内部抽籤」という）により役に当籤（以下、「内部当籤」という）し、且つその内部当籤した役（以下、「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
このような遊技機では、確率テーブルの切替えを用いて、遊技者に対して面白味を与えることができる新たな遊技を提供することを目的とするものが提案されている（例えば、特許文献１参照）。この遊技機によれば、特別遊技の終了後は、次に特別役が当籤するまで、前の特別遊技で獲得したメダルを減らすことなく、例えばメダル所有枚数をほぼ現状維持した遊技を継続することができるようになり、遊技者にさらに有利な状態を与えることができる。
【特許文献１】特開２００１−１３７４３０号公報
【発明の開示】
【発明が解決しようとする課題】
【０００６】
しかしながら、上記のような遊技機では、再遊技高確率抽籤テーブルを用いて役の抽籤を行う遊技状態においては、再遊技が高い確率で行われるので、この遊技状態では有効ラインに沿って表示される図柄の組合せが単調になる。よって、この遊技状態は他の遊技状態と比べて、表示される図柄の組合せによる面白みとは別の面白みを付与するための演出に興味が持たれることとなるが、この遊技状態での主な演出は、特別役（即ち、ボーナス）を報知するだけの演出であるので、演出に対する興味が薄れてしまうおそれがある。
【０００７】
本発明の目的は、再遊技が高い確率で行われる期間において行われる演出に対して遊技者の抱く期待感を高めることができる遊技機を提供することである。
【課題を解決するための手段】
【０００８】
本発明は、以上のような問題点に鑑みてなされたものであり、遊技機において、演出データ決定手段は、特定の期間では、選択データ決定手段により決定された選択データに基づいて、複数の演出データから演出データを決定することを特徴とする。
【０００９】
より具体的には、本発明では、以下のようなものを提供する。
【００１０】
（１）  複数列（例えば、３列）で図柄を表示する図柄表示手段（例えば、後述のリール３Ｌ，３Ｃ，３Ｒ、後述の図柄表示領域２１Ｌ，２１Ｃ，２１Ｒ）と、遊技者による開始操作（例えば、後述の開始操作、後述のスタートレバー６の操作）の検出を行う開始操作検出手段（例えば、後述のスタートスイッチ６Ｓ、後述の主制御回路７１）と、当籤役（例えば、後述の当籤役、後述の内部当籤役、後述の持越役）を決定するための当籤役決定情報（例えば、後述の内部抽籤テーブル）を格納する当籤役決定情報格納手段（例えば、後述のＲＯＭ３２、後述のＲＡＭ３３）と、前記開始操作検出手段により行われる開始操作の検出を条件に、前記当籤役決定情報格納手段により格納される当籤役決定情報に基づいて当籤役を決定する当籤役決定手段（例えば、後述の内部抽籤処理を行う手段、後述の主制御回路７１）と、前記開始操作検出手段により行われる開始操作の検出を条件に、前記複数列で表示される図柄の変動（例えば、後述の変動表示）を行う図柄変動手段（例えば、後述のステッピングモータ４９Ｌ，４９Ｃ，４９Ｒ、後述の主制御回路７１）と、遊技者による停止操作（例えば、後述の停止操作、後述の停止ボタン７Ｌ，７Ｃ，７Ｒの押圧操作）の検出を行う停止操作検出手段（例えば、後述の停止スイッチ７ＬＳ，７ＣＳ，７ＲＳ、後述の主制御回路７１）と、前記停止操作検出手段により行われる停止操作の検出と前記当籤役決定手段により決定される当籤役とに基づいて前記図柄変動手段により行われる図柄の変動の停止制御を行う停止制御手段（例えば、後述のリール停止制御処理を行う手段、後述の主制御回路７１）と、演出データ（例えば、後述の演出データ、後述の演出識別子）を複数格納する演出データ格納手段（例えば、後述の演出テーブル、後述のＲＯＭ３２、後述のＲＡＭ３３）と、前記演出データ格納手段に格納される複数の演出データから演出データを決定する演出データ決定手段（例えば、後述のステップＳ１８３及びステップＳ１８４の処理を行う手段、後述の副制御回路７２）と、前記演出データ決定手段により決定された演出データに基づいて演出を行う演出手段（例えば、後述の液晶表示装置１３１、後述のスピーカ９Ｌ，９Ｒ）と、前記演出手段により明示された複数の選択項目（例えば、後述の表示例Ａに示すキャラクタ２０１、キャラクタ２０２、キャラクタ２０３、及びキャラクタ２０４）のうちから遊技者により行われた選択操作種別（例えば、後述の選択項目に対応する入力信号）の検出を行う選択操作検出手段（例えば、後述の画像制御マイコン８１）と、前記選択操作検出手段により行われる選択操作種別の検出を条件に、この選択操作種別に応じる選択データ（例えば、後述のキャラクタ識別子）を決定する選択データ決定手段（例えば、後述の画像制御マイコン８１）と、を備え、前記当籤役決定情報は、再遊技に係る当籤役（例えば、後述のリプレイＡ）が決定される確率が第１の確率（例えば、後述の「８９８１／６５５３６」）である第１の当籤役決定情報（例えば、後述の一般遊技状態用内部抽籤テーブル）と、前記再遊技に係る当籤役が決定される確率が前記第１の確率より高い第２の確率（例えば、後述の「５７２７７／６５５３６」）で���る第２の当籤役決定情報（例えば、後述のＲＴ２用内部抽籤テーブル）とを含み、前記当籤役決定手段は、前記図柄表示手段により特定の図柄の組合せ（例えば、後述の“激−リプレイ−リプレイ”、“ＢＡＲ−リプレイ−リプレイ”、“青７−リプレイ−リプレイ”、“赤７−リプレイ−リプレイ”）が表示されてから所定の条件を充足するまでの特定の期間（例えば、後述のＲＴ２区間）では、前記第２の当籤役決定情報に基づいて当籤役を決定し、前記演出データ決定手段は、前記特定の期間では、前記選択データ決定手段により決定された選択データに基づいて、前記複数の演出データから演出データを決定することを特徴とする遊技機。
【００１１】
（１）記載の遊技機によれば、選択操作検出手段は、演出手段により明示された複数の選択項目のうちから遊技者により行われた選択操作種別の検出を行う。選択データ決定手段は、選択操作検出手段により行われる選択操作種別の検出を条件に、この選択操作種別に応じる選択データを決定する。また、当籤役決定情報は、再遊技に係る当籤役が決定される確率が第１の確率である第１の当籤役決定情報と、再遊技に係る当籤役が決定される確率が第１の確率より高い第２の確率である第２の当籤役決定情報とを含む。当籤役決定手段は、図柄表示手段により特定の図柄の組合せが表示されてから所定の条件を充足するまでの特定の期間では、第２の当籤役決定情報に基づいて当籤役を決定する。すなわち、第２の当籤役決定情報に基づいて当籤役が決定される特定の期間では、再遊技が決定される確率が高くなる。また、演出データ決定手段は、特定の期間では、選択データ決定手段により決定された選択データに基づいて、複数の演出データから演出データを決定する。すなわち、再遊技が高い確率で行われる特定の期間においては、遊技者が選択した選択項目に係る演出データが決定され得るので、遊技者の所望する演出が行われることがある。したがって、特定の期間では、遊技者は、自己の所望する演出が行われることに期待をすることができる。故に、特定の期間において行われる演出に対して遊技者の抱く期待感を高めることができる。
【００１２】
（２）  （１）記載の遊技機において、ボーナスの当否を示唆する要素（例えば、後述のボーナス当否推測要素）、ボーナスの種別を示唆する要素（例えば、後述のボーナス種別推測要素）、及び設定値を示唆する要素（例えば、後述の設定推測要素）のうち少なくとも一つが対応付けられた演出データが前記選択データに対応して設けられ、前記選択データ決定手段により所定の選択データが決定された場合に、前記要素のうち少なくとも一つが対応付けられた演出データであって、この所定の選択データに対応して設けられる特定の演出データ（例えば、後述の演出テーブルＢにおける演出識別子「３」）が決定される確率は、相対的に高いことを特徴とする遊技機。
【００１３】
（２）記載の遊技機によれば、所定の選択データが選択された場合にこの所定の選択データに対応して設けられる特定の演出データが決定される確率は、相対的に高い。例えば、ボーナスの当否を示唆する要素が対応付けられた演出データに係る演出の頻度が多くなることで、遊技者は、ボーナスの当否を推測することができる。同様に、ボーナスの種別、遊技機の設定値を推測することができる。このように、特定の期間において行われる演出に基づいて、遊技者の関心の高い内容を推測することができる構成を採用することで、特定の期間において行われる演出に対して遊技者の抱く期待感をさらに高めることができる。
【００１４】
（３）  （１）又は（２）記載の遊技機において、前記選択操作検出手段は、前記図柄表示手段により前記特定の図柄の組合せが表示されたことを契機として前記演出手段により明示された複数の選択項目のうちから遊技者により行われた選択操作種別の検出を行うことを特徴とする遊技機。
【００１５】
（３）記載の遊技機によれば、図柄表示手段により特定の図柄の組合せが表示されたことを契機として複数の選択項目が明示される。すなわち、複数の選択項目が明示されることで、遊技者は、図柄表示手段により特定の図柄の組合せが表示されたことを再認識できる。また、特定の図柄の組合せの表示が特定の期間の開始という変化の節目となるので、この節目に選択項目の明示を行うことで、直に開始する特定の期間を遊技者に意識させることができる。また、明示した選択項目を用いて、特定の期間において行われる演出を遊技者に選択させる。結果として、特定の期間において行われる演出に対して遊技者の抱く期待感をさらに高めることができる。
【発明の効果】
【００１６】
本発明によれば、特定の期間では、遊技者は、自己の所望する演出が行われることに期待をすることができる。故に、特定の期間において行われる演出に対して遊技者の抱く期待感を高めることができる。
【発明を実施するための最良の形態】
【００１７】
図１は、本発明の一実施例の遊技機１の外観を示す斜視図である。遊技機１は、いわゆるパチスロ機である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００１８】
前面ドア２の正面には、略垂直面としてのパネル表示部２ａ、液晶表示部２ｂ及び固定表示部２ｃが形成されている。また、前面ドア２の背後には、複数種類の図柄が各々の外周面に描かれた３個のリール３Ｌ，３Ｃ，３Ｒが、回転自在に横一列に設けられている。各リール３Ｌ，３Ｃ，３Ｒは、一定の速度で回転する（例えば、８０回転／分）。
【００１９】
パネル表示部２ａ、液晶表示部２ｂ及び固定表示部２ｃの下方には略水平面の台座部４が形成されている。台座部４の右側には、メダルを投入するためのメダル投入口１０が設けられている。投入されたメダルは、クレジットされるか、ゲームの用に供される（ゲームに賭けられる）。また、台座部４の左側には、押下操作により、クレジットされているメダルを賭けるための１−ＢＥＴスイッチ１１、２−ＢＥＴスイッチ１２、及び最大ＢＥＴスイッチ１３が設けられている。
【００２０】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。
【００２１】
これらのＢＥＴスイッチ１１〜１３を操作することで、後述の表示ラインが有効化される。ＢＥＴスイッチ１１〜１３の操作及びメダル投入口１０にメダルを投入する操作（遊技を行うためにメダルを投入する操作）を、以下「ＢＥＴ操作」という。また、ＢＥＴスイッチ１１〜１３の上方には、操作部１７が設けられている。操作部１７は、液晶表示装置１３１（後述の図３参照）に遊技履歴などの情報を表示するために操作される。また、操作部１７は、後述の液晶表示装置１３１での表示に応じる入力（操作）をするために用いられる。
【００２２】
台座部４の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部５に溜められる。メダル受け部５の上方の左右には、遊技の演出に関する効果音などを出音するスピーカ９Ｌ，９Ｒが設けられている。
【００２３】
Ｃ／Ｐスイッチ１４の右側には、遊技者の操作により上記リール３Ｌ，３Ｃ，３Ｒを回転させ、図柄表示領域２１Ｌ，２１Ｃ，２１Ｒ内での図柄の変動表示を開始するためのスタートレバー６が所定の角度範囲で回動自在に取り付けられている。
【００２４】
台座部４の前面部中央で、スタートレバー６の右側には、３個のリール３Ｌ，３Ｃ，３Ｒの回転をそれぞれ停止させるための３個の停止ボタン７Ｌ，７Ｃ，７Ｒが設けられている。なお、実施例では、一のゲーム（単位遊技）は、基本的に、スタートレバー６が操作されることにより開始し、全てのリール３Ｌ，３Ｃ，３Ｒが停止したときに終了する。
【００２５】
ここで、実施例では、全てのリール３Ｌ，３Ｃ，３Ｒが回転しているときに行われるリールの停止操作（停止ボタン７Ｌ，７Ｃ，７Ｒの押圧操作）を第１停止操作、第１停止操作の次に行われる停止操作を第２停止操作、第２停止操作の次に行われる停止操作を第３停止操作という。また、各停止ボタン７Ｌ，７Ｃ，７Ｒの裏側には、後述の図５に示す停止スイッチ７ＬＳ，７ＣＳ，７ＲＳが配置されている。これらの停止スイッチは、対応する停止ボタン７Ｌ，７Ｃ，７Ｒの押圧操作（停止操作）を検知する。
【００２６】
図２を参照して、パネル表示部２ａ、液晶表示部２ｂ及び固定表示部２ｃについて説明する。
【００２７】
パネル表示部２ａは、ボーナス遊技情報表示部１６、ＢＥＴランプ１７ａ〜１７ｃ、払出表示部１８、及びクレジット表示部１９により構成される。ボーナス遊技情報表示部１６は、７セグメントＬＥＤから成り、ボーナス中の遊技情報を表示する。１−ＢＥＴランプ１７ａ、２−ＢＥＴランプ１７ｂ及び最大ＢＥＴランプ１７ｃは、一のゲームを行うために賭けられたメダルの数（以下「ＢＥＴ数」という）に応じて点灯する。
【００２８】
１−ＢＥＴランプ１７ａは、ＢＥＴ数が１枚のときに点灯する。２−ＢＥＴランプ１７ｂは、ＢＥＴ数が２枚のときに点灯する。最大ＢＥＴランプ１７ｃは、ＢＥＴ数が３枚のときに点灯する。払出表示部１８及びクレジット表示部１９は、夫々７セグメントＬＥＤから成り、入賞が成立したときのメダルの払出枚数及びクレジットされているメダルの枚数を表示する。
【００２９】
液晶表示部２ｂは、図柄表示領域２１Ｌ，２１Ｃ，２１Ｒ、窓枠表示領域２２Ｌ，２２Ｃ，２２Ｒ及び演出表示領域２３により構成される。この液晶表示部２ｂの表示内容は、リール３Ｌ，３Ｃ，３Ｒの回転及び停止態様、及び後述の液晶表示装置１３１の動作により変化するようになっている。
【００３０】
図柄表示領域２１Ｌ，２１Ｃ，２１Ｒは、各リール３Ｌ，３Ｃ，３Ｒに対応して設けられ、リール３Ｌ，３Ｃ，３Ｒ上に配置された図柄の表示や、種々の演出表示を行う。
【００３１】
図柄表示領域２１Ｌ，２１Ｃ，２１Ｒには、表示ラインとして、水平方向にトップライン８ｂ、センターライン８ｃ及びボトムライン８ｄ、並びに、斜め方向にクロスアップライン８ａ及びクロスダウンライン８ｅが設けられる。これら５本の表示ラインは、遊技者が、ＢＥＴスイッチ１１〜１３を操作すること、又はメダル投入口１０にメダルを投入することにより有効化される（有効化された表示ラインを、以下「有効ライン」と記載する）。各表示ライン８ａ〜８ｅは、ＢＥＴ数が「３」の場合には全てが有効化されている。
【００３２】
ここで、各図柄表示領域２１Ｌ，２１Ｃ，２１Ｒには、夫々縦方向（垂直方向）に３箇所（上段、中段、下段）の図柄停止位置が設けられている。各図柄表示領域２１Ｌ，２１Ｃ，２１Ｒにおける図柄の変動表示が停止した場合には、各図柄表示領域２１Ｌ，２１Ｃ，２１Ｒに設けられた図柄停止位置の各々に図柄が停止表示される。各表示ラインは、各図柄表示領域２１Ｌ，２１Ｃ，２１Ｒ内の図柄停止位置を結んでいる。
【００３３】
図柄表示領域２１Ｌ，２１Ｃ，２１Ｒは、少なくとも、対応するリール３Ｌ，３Ｃ，３Ｒが回転中のとき、及び対応する停止ボタン７Ｌ，７Ｃ，７Ｒが押下操作可能なとき、遊技者がリール３Ｌ，３Ｃ，３Ｒ上の図柄を視認できるように、透過状態となる。
【００３４】
窓枠表示領域２２Ｌ，２２Ｃ，２２Ｒは、各図柄表示領域２１Ｌ，２１Ｃ，２１Ｒを囲むように設けられ、リール３Ｌ，３Ｃ，３Ｒの前面に配置された図柄表示領域２１Ｌ，２１Ｃ，２１Ｒの窓枠を表したものである。
【００３５】
演出表示領域２３は、液晶表示部２ｂの領域のうち、図柄表示領域２１Ｌ，２１Ｃ，２１Ｒ及び窓枠表示領域２２Ｌ，２２Ｃ，２２Ｒ以外の領域である。固定表示部２ｃは、予め定めた図、絵などが描かれる領域である。この固定表示部２ｃに描かれた図、絵などと、演出表示領域２３に表示された画像を連接させることにより一つの静止画像又は動画像を表示できるようにしても良い。
【００３６】
図３は、液晶表示装置１３１の概略構成を示す斜視図である。はじめに、リール３Ｌ，３Ｃ，３Ｒの内部構造について説明する。リール３Ｌ，３Ｃ，３Ｒの内部には、リール３Ｌ，３Ｃ，３Ｒの回転が停止した場合に各図柄表示領域２１Ｌ，２１Ｃ，２１Ｒに現われる縦３列の図柄（合計９個の図柄）の裏側にＬＥＤ収納用回路基板が設置されている。ＬＥＤ収納用回路基板は、夫々３つ（即ち合計で９つ）のＬＥＤ収納部を有し、ここに複数のＬＥＤランプが設けられている。
【００３７】
このＬＥＤランプは、リール３Ｌ，３Ｃ，３Ｒの外周面に沿って装着されたリールシートの後面側を白色の光で照明する。より詳細には、図柄表示領域２１Ｌ，２１Ｃ，２１Ｒに対応する領域を照明する。このリールシートは、透光性を有して構成され、ＬＥＤランプにより射出された光は前面側へ透過するようになっている。
【００３８】
また、左リール３Ｌは、同形の２本の環状フレームを所定の間隔（例えばリール幅）だけ離して複数本の連結部材で連結することで形成された円筒形のフレーム構造と、そのフレーム構造の中心部に設けられたステッピングモータ４９Ｌの駆動力を環状フレームへ伝達する伝達部材とにより構成される。また、左リール３Ｌの外周面に沿ってリールシートが装着されている。
【００３９】
左リール３Ｌの内側に配置されたＬＥＤ収納用回路基板は、夫々複数のＬＥＤランプを収納する３つのＬＥＤ収納部を備えている。ＬＥＤ収納用回路基板は、遊技者が図柄表示領域２１Ｌを通して視認できる図柄（合計３個の図柄）の各々の裏側にＬＥＤ収納部が位置するように設置されている。なお、中リール３Ｃ，右リール３Ｒについては左リール３Ｌと同様の構造を有し、各々の内部にＬＥＤ収納用回路基板が設けられている。
【００４０】
次に、透過型の液晶表示装置１３１について説明する。液晶表示装置１３１は、保護ガラス１３２、表示板１３３、液晶パネル１３４、導光板１３５、反射フィルム１３６、白色光源（例えば全ての波長の光を人の目に特定の色彩が目立たない割合で含む）である蛍光ランプ１３７ａ，１３７ｂ，１３８ａ，１３８ｂ、ランプホルダ１３９ａ〜１３９ｈ、液晶パネル駆動用のＩＣを搭載したテーブルキャリアパッケージからなり液晶パネル１３４の端子部に接続したフレキシブル基板（図示せず）等により構成される。
【００４１】
この液晶表示装置１３１は、リール３Ｌ，３Ｃ，３Ｒの表示領域より正面から見て手前側（即ち表示面よりも手前側）に設けられている。また、このリール３Ｌ，３Ｃ，３Ｒと液晶表示装置１３１とは、別体で（例えば所定の間隔をあけて）設けられている。
【００４２】
保護ガラス１３２及び表示板１３３は、透光性部材で構成されている。保護ガラス１３２は、液晶パネル１３４を保護すること等を目的として設けられている。表示板１３３において、パネル表示部２ａ及び固定表示部２ｃ（図２参照）に対応する領域には、図、絵などが描かれる。
【００４３】
ここで、図３では、パネル表示部２ａに対応する表示板１３３の領域の裏側に配置される各種表示部（ボーナス遊技情報表示部１６、払出表示部１８、クレジット表示部１９など）及びＢＥＴランプ１７ａ〜１７ｃを動作させる電気回路の図示を省略している。
【００４４】
液晶パネル１３４は、薄膜トランジスタ層が形成されたガラス板などの透明な基板と、これに対向する透明な基板との間隙部に液晶が封入されて形成されている。この液晶パネル１３４の表示モードは、ノーマリーホワイトに設定されている。ノーマリーホワイトとは、液晶を駆動していない状態（即ち液晶パネル１３４に電圧を印加していない状態）で白表示となる構成である。即ち、表示面側に光が行く、よって透過した光が外部から視認されることとなる。
【００４５】
よって、ノーマリーホワイトに構成された液晶パネル１３４を採用することにより、液晶を駆動できない事態が生じた場合であっても、図柄表示領域２１Ｌ，２１Ｃ，２１Ｒを透してリール３Ｌ，３Ｃ，３Ｒ上に配列された図柄を視認することができ、ゲームを継続することができる。つまり、液晶を駆動できない事態が発生した場合にも、リール３Ｌ，３Ｃ，３Ｒの回転及びその停止を中心としたゲームを行うことができる。
【００４６】
導光板１３５は、蛍光ランプ１３７ａ，１３７ｂからの光を液晶パネル１３４へ導入する（液晶パネル１３４を照明する）ために液晶パネル１３４の裏側に設けられ、例えば２ｃｍ程度の厚さを有するアクリル系樹脂などの透光性部材（即ち導光機能を有する部材）で構成されている。
【００４７】
反射フィルム１３６は、例えば白色のポリエステルフィルムやアルミ薄膜に銀蒸着膜を形成したものが用いられ、導光板１３５に導入された光を正面側に向けて反射させる。これにより液晶パネル１３４を照明する。この反射フィルム１３６は、反射領域１３６Ａ及び非反射領域（即ち透過領域）１３６ＢＬ，１３６ＢＣ，１３６ＢＲにより構成されている。非反射領域１３６ＢＬ，１３６ＢＣ，１３６ＢＲは、透明な材料で形成され入射した光を反射することなく透過させる光透過部として形成されている。
【００４８】
また、非反射領域１３６ＢＬ，１３６ＢＣ，１３６ＢＲは、リール３Ｌ，３Ｃ，３Ｒの回転が停止した場合に表示させる図柄の各々の前方の位置に設けられている。尚、非反射領域１３６ＢＬ，１３６ＢＣ，１３６ＢＲの大きさ及び位置は、図柄表示領域２１Ｌ，２１Ｃ，２１Ｒ（図２参照）と一致するように形成されている。また、反射フィルム１３６では、非反射領域１３６ＢＬ，１３６ＢＣ，１３６ＢＲ以外の領域を反射領域１３６Ａとし、反射領域１３６Ａにより導光板１３５に導入された光を正面側に向けて反射させる。
【００４９】
蛍光ランプ１３７ａ，１３７ｂは、導光板１３５の上端部及び下端部に沿って配置され、両端はランプホルダ１３９ａ，１３９ｂ，１３９ｇ，１３９ｈにより支持されている。この蛍光ランプ１３７ａ，１３７ｂは、導光板１３５に導入する光を発生する。
【００５０】
蛍光ランプ１３８ａ，１３８ｂは、反射フィルム１３６の裏側の上方位置及び下方位置に配置されている。この蛍光ランプ１３８ａ，１３８ｂから発せられた光は、リール３Ｌ，３Ｃ，３Ｒの表面で反射され、非反射領域１３６ＢＬ，１３６ＢＣ，１３６ＢＲへ入射する。そして、入射した光は、非反射領域１３６ＢＬ，１３６ＢＣ，１３６ＢＲを通過して液晶パネル１３４を照明する。
【００５１】
さらに、ＬＥＤランプ及び蛍光ランプ１３７ａ，１３７ｂ，１３８ａ，１３８ｂの機能について説明する。
【００５２】
はじめに、図柄表示領域２１Ｌ，２１Ｃ，２１Ｒにある液晶を駆動しない場合（即ち、液晶パネル１３４の、図柄表示領域２１Ｌ，２１Ｃ，２１Ｒに対応する個所に電圧を印加しない場合）の各ランプの機能について説明する。
【００５３】
蛍光ランプ１３８ａ，１３８ｂから射出された光の一部は、リールシートにより反射される。また、ＬＥＤ収納用回路基板に設けられたＬＥＤランプから射出された光の一部は、リールシートを透過する。これらの光は、非反射領域１３６ＢＬ，１３６ＢＣ，１３６ＢＲ、液晶表示装置１３１を構成する導光板１３５及び液晶パネル１３４を透過するので、遊技者は、リール上に配置された図柄を視認することができる。
【００５４】
また、蛍光ランプ１３７ａ，１３７ｂから射出され、導光板１３５に向けて導入された光は、液晶パネル１３４を透過して遊技者の目に入る。つまり、蛍光ランプ１３７ａ，１３７ｂによって、窓枠表示領域２２Ｌ，２２Ｃ，２２Ｒ及び演出表示領域２３に対応する液晶パネル１３４の領域が照明される。
【００５５】
次に、図柄表示領域２１Ｌ，２１Ｃ，２１Ｒにある液晶を駆動する場合（即ち、液晶パネル１３４の、図柄表示領域２１Ｌ，２１Ｃ，２１Ｒに対応する個所に電圧を印加する場合）の各ランプの機能について説明する。
【００５６】
蛍光ランプ１３８ａ，１３８ｂから射出された光の一部は、リールシートにより反射される。また、ＬＥＤランプから射出された光の一部は、リールシートを透過する。液晶パネル１３４の領域のうち、液晶が駆動された領域では、これらの光の一部が反射或いは吸収されたり透過したりするので、遊技者は、図柄表示領域２１Ｌ，２１Ｃ，２１Ｒに表示された演出画像等を視認することができる。
【００５７】
図４は、各リール３Ｌ，３Ｃ，３Ｒに表わされた複数種類の図柄が２１個配列された図柄列を示している。各図柄には「００」〜「２０」のコードナンバーが付され、データテーブルとして後で説明するＲＯＭ３２（図５）に格納（記憶）されている。各リール３Ｌ，３Ｃ，３Ｒ上には、“赤７（図柄９１）”、“青７（図柄９２）”、“ＢＡＲ（図柄９３）”、“チェリー（図柄９４）”、“ベル（図柄９５）”、“スイカ（図柄９６）”、“リプレイ（図柄９７）”、“ベルト（図柄９８）”、及び“激（図柄９９）”の図柄で構成される図柄列が表わされている。各リール３Ｌ，３Ｃ，３Ｒは、図柄列が図４の矢印方向に移動するように回転駆動される。
【００５８】
実施例では、内部当籤役として、チェリー、ベル、スイカ、特殊赤、特殊ベル、ベルト、激、リプレイＡ、リプレイＢ１、リプレイＢ２、リプレイＢ３、リプレイＢ４、ＭＢ（ミドルボーナス）、ＢＢ１、ＢＢ２、及びハズレが設けられている。ここで、リプレイＢ１、リプレイＢ２、リプレイＢ３、及びリプレイＢ４を総称して、以下「リプレイＢ」という。また、リプレイＡ及びリプレイＢを総称して、以下「リプレイ」という。また、ＢＢ１及びＢＢ２を総称して、以下「ビッグボーナス（ＢＢ）」という。また、チェリー、ベル、スイカ、特殊赤、特殊ベル、ベルト、及び激を総称して以下「小役」という。
【００５９】
ここで、実施例の遊技状態には、基本的に、一般遊技状態、レギュラーボーナス遊技状態（以下「ＲＢ遊技状態」と略記する）、及びチャレンジボーナス遊技状態（以下「ＣＢ遊技状態」と略記する）がある。遊技状態は、基本的に、内部当籤役の決定に用いる内部抽籤テーブルの種類、リールの停止制御の態様（いわゆる「滑り駒数」の最大数など）により区別できる。
【００６０】
一般遊技状態は、持越役のない通常区間と、持越役がある持越区間と、通常区間及び持越区間よりもリプレイＢが内部当籤役として決定される確率が高いリプレイタイム区間（以下「ＲＴ１区間」と略記する）、及び通常区間及び持越区間よりもリプレイＡが内部当籤役として決定される確率が高いリプレイタイム区間（以下「ＲＴ２区間」と略記する）とで構成される。持越役は、内部抽籤処理（後述の図２５及び図２６）において決定された内部当籤役に対応する図柄の組合せ（いわゆる図柄組合せ）が有効ラインに沿って表示されることが一又は複数のゲームにわたり許容される場合に、当該図柄の組合せを識別するための情報である。ＲＴ１区間及びＲＴ２区間を総称して以下「ＲＴ区間」という。また、ＲＴ区間以外の一般遊技状態の区間を、以下「非ＲＴ区間」という。
【００６１】
ＲＢ遊技状態は、単位遊技価値（即ち、投入枚数「１」）に対して遊技者に付与される遊技価値（即ち、払出されるメダルの枚数）の期待値が「１」よりも大きい遊技状態であり、遊技者にとってみれば、有利な遊技状態である。
【００６２】
ＣＢ遊技状態では、左リール３Ｌの最大の滑り駒数が「１」であり、他のリールの最大の滑り駒数が「４」である。なお、ＣＢ遊技状態以外の遊技状態では、全てのリール３Ｌ，３Ｃ，３Ｒについて最大の滑り駒数が「４」である。滑り駒数は、停止ボタン７Ｌ，７Ｃ，７Ｒの押圧操作後にこの押圧操作に対応するリール３Ｌ，３Ｃ，３Ｒに配置された図柄が停止するまでに移動（変動）する図柄の移動量である。
【００６３】
図５は、遊技機１における遊技処理動作を制御する主制御回路７１と、主制御回路７１に電気的に接続する周辺装置（アクチュエータ）と、主制御回路７１から送信される制御指令に基づいて液晶表示装置１３１、スピーカ９Ｌ，９Ｒ、ＬＥＤ類１００ａ及びランプ類１００ｂを制御する副制御回路７２とを含む回路構成を示す。なお、スピーカ９Ｌ，９Ｒの音量は、音量調節部１０３の操作で調整できる。
【００６４】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラム（後述の図２０〜図３１）に従って制御動作を行うＣＰＵ３１と、記憶手段であるＲＯＭ３２及びＲＡＭ３３を含む。
【００６５】
ＣＰＵ３１には、基準クロックパルスを発生するクロックパルス発生回路３４及び分周器３５と、サンプリングされる乱数を発生する乱数発生器３６及びサンプリング回路３７とが接続されている。尚、乱数サンプリングのための手段として、マイクロコンピュータ３０内で、即ちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【００６６】
マイクロコンピュータ３０のＲＯＭ３２には、スタートレバー６を操作（スタート操作、開始操作）する毎に行われる乱数サンプリングの判定に用いられる内部抽籤テーブル（後述の図１０及び図１１）、停止ボタン７Ｌ，７Ｃ，７Ｒの操作に応じてリール３Ｌ，３Ｃ，３Ｒの停止態様を決定するための停止テーブル群などが格納されている。また、副制御回路７２へ送信するための各種制御指令（コマンド）等が格納されている。副制御回路７２が主制御回路７１へコマンド、情報等を入力することはなく、主制御回路７１から副制御回路７２への一方向で通信が行われる。ＲＡＭ３３には、種々の情報が格納され、種々の格納領域が設けられている。ＲＡＭ３３には、例えば、内部当籤役、持越役、現在の遊技状態などの情報等が格納される。
【００６７】
図５の回路において、マイクロコンピュータ３０からの制御信号により動作が制御される主要なアクチュエータとしては、ＢＥＴランプ（１−ＢＥＴランプ１７ａ、２−ＢＥＴランプ１７ｂ、最大ＢＥＴランプ１７ｃ）と、表示部（ボーナス遊技情報表示部１６、払出表示部１８、クレジット表示部１９）と、メダルを収納し、ホッパー駆動回路４１の命令により所定枚数のメダルを払出すホッパー（払出しのための駆動部を含む）４０と、リール３Ｌ，３Ｃ，３Ｒを回転駆動するステッピングモータ４９Ｌ，４９Ｃ，４９Ｒとがある。
【００６８】
更に、ステッピングモータ４９Ｌ，４９Ｃ，４９Ｒを駆動制御するモータ駆動回路３９、ホッパー４０を駆動制御するホッパー駆動回路４１、ＢＥＴランプ１７ａ，１７ｂ，１７ｃを駆動制御するランプ駆動回路４５、及びボーナス遊技情報表示部１６、払出表示部１８、クレジット表示部１９などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００６９】
また、マイクロコンピュータ３０が制御指令を発生するために必要な入力信号を発生する主な入力信号発生手段としては、スタートスイッチ６Ｓ、停止スイッチ７ＬＳ，７ＣＳ，７ＲＳ、１−ＢＥＴスイッチ１１、２−ＢＥＴスイッチ１２、最大ＢＥＴスイッチ１３、Ｃ／Ｐスイッチ１４、メダルセンサ１０Ｓ、リール位置検出回路５０、払出完了信号回路５１がある。
【００７０】
スタートスイッチ６Ｓは、スタートレバー６の操作を検出し、遊技開始指令信号（ゲームの開始を指令する信号）を出力する。メダルセンサ１０Ｓは、メダル投入口１０に投入されたメダルを検出する。停止スイッチ７ＬＳ，７ＣＳ，７ＲＳは、対応する停止ボタン７Ｌ，７Ｃ，７Ｒの操作に応じて停止指令信号（図柄の変動の停止を指令する信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００７１】
図５の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えば、ＲＯＭ３２内に格納されている内部抽籤テーブル（後述の図１０及び図１１）などに基づいて内部当籤役などが決定される。
【００７２】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が「０」にクリアされる。これにより、ＲＡＭ３３内には、各リール３Ｌ，３Ｃ，３Ｒについて一回転の範囲内における回転位置に対応した計数値が格納される。
【００７３】
上記のようなリール３Ｌ，３Ｃ，３Ｒの回転位置とリール外周面上に描かれた図柄とを対応づけるために、図柄配置テーブル（図示せず）が、ＲＯＭ３２内に格納されている。この図柄配置テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。図柄配置テーブルと図柄組合せテーブル（後述の図８）とに基づいて、各有効ラインに沿って並ぶ図柄の組合せを把握することができる。
【００７４】
更に、ＲＯＭ３２内には、図柄組合せテーブル（後述の図８）が格納されている。上記の図柄組合せテーブルは、リール３Ｌ，３Ｃ，３Ｒの回転を停止する制御を行う際と、全リール３Ｌ，３Ｃ，３Ｒの停止後の後述の表示役及び遊技者に付与される利益（例えば、メダルの払出枚数）の決定を行う際とに参照される。表示役は、一の有効ラインに沿って表示される図柄の組合せのうち内部当籤役に対応する図柄の組合せを識別するために内部当籤役の夫々に対応して設けられている。
【００７５】
上記乱数サンプリングに基づく抽籤処理（後述の内部抽籤処理など）により内部当籤役を決定した場合には、ＣＰＵ３１は、遊技者が停止ボタン７Ｌ，７Ｃ，７Ｒを操作したタイミングで停止スイッチ７ＬＳ，７ＣＳ，７ＲＳから送られる操作信号、及び決定された停止テーブルに基づいて、リール３Ｌ，３Ｃ，３Ｒを停止制御する信号をモータ駆動回路３９に送る。
【００７６】
小役に係る図柄の組合せが有効ラインに沿って表示されれば（即ち、入賞態様となれば）、ＣＰＵ３１は、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、メダル払出処理を終了する。
【００７７】
図６は、副制御回路７２の構成を示すブロック図である。副制御回路７２は、画像制御回路（ｇＳｕｂ）７２ａと、音・ランプ制御回路（ｍＳｕｂ）７２ｂとから構成されている。この画像制御回路（ｇＳｕｂ）７２ａ又は音・ランプ制御回路（ｍＳｕｂ）７２ｂは、主制御回路７１を構成する回路基板とは各々別の回路基板上に構成されている。
【００７８】
主制御回路７１と画像制御回路（ｇＳｕｂ）７２ａとの間の通信は、主制御回路７１から画像制御回路（ｇＳｕｂ）７２ａへの一方向で行われ、画像制御回路（ｇＳｕｂ）７２ａが主制御回路７１へコマンド、情報等を入力することはない。また、画像制御回路（ｇＳｕｂ）７２ａと音・ランプ制御回路（ｍＳｕｂ）７２ｂとの間の通信は、画像制御回路（ｇＳｕｂ）７２ａから音・ランプ制御回路（ｍＳｕｂ）７２ｂへの一方向で行われ、音・ランプ制御回路（ｍＳｕｂ）７２ｂが画像制御回路（ｇＳｕｂ）７２ａへコマンド、情報等を入力することはない。
【００７９】
画像制御回路（ｇＳｕｂ）７２ａは、画像制御マイコン８１、シリアルポート８２、プログラムＲＯＭ８３、ワークＲＡＭ８４、カレンダＩＣ８５、画像制御ＩＣ８６、制御ＲＡＭ８７、画像ＲＯＭ（ＣＲＯＭ（キャラクタＲＯＭ））８８及びビデオＲＡＭ８９で構成される。
【００８０】
画像制御マイコン８１は、ＣＰＵ、割込コントローラ、入出力ポート（シリアルポートは図示）を備えている。画像制御マイコン８１に備えられたＣＰＵは、主制御回路７１から送信されたコマンドに基づき、プログラムＲＯＭ８３内に格納された制御プログラムに従って各種の処理を行う。尚、画像制御回路（ｇＳｕｂ）７２ａは、クロックパルス発生回路、分周器、乱数発生器及びサンプリング回路を備えていないが、画像制御マイコン８１の動作プログラム上で乱数サンプリングを実行するように構成されている。
【００８１】
シリアルポート８２は、主制御回路７１から送信されるコマンド等を受信する。プログラムＲＯＭ８３は、画像制御マイコン８１で実行する制御プログラム（後述の図３２〜図３５）、後述の各種テーブル等を格納する。
【００８２】
ワークＲＡＭ８４は、画像制御マイコン８１が前述した制御プログラムを実行する場合の、作業用の一時記憶手段として構成される。ワークＲＡＭ８４には、種々の情報が格納される。
【００８３】
カレンダＩＣ８５は、日付データを記憶する。画像制御マイコン８１には、操作部１７が接続されている。実施例では、この操作部１７を遊技場の従業員等が操作することにより日付の設定等が行われるようになっている。画像制御マイコン８１は、操作部１７から送信される入力信号に基づいて設定された日付情報をカレンダＩＣ８５に記憶する。カレンダＩＣ８５に記憶された日付情報はバックアップされることとなる。また、この操作部１７を遊技者が操作することにより、明示された複数の選択項目（例えば、液晶表示部２ｂに表示される後述のキャラクタ２０１〜キャラクタ２０４）からいずれの選択項目を採用するかを決定できるようになっている。具体的には、画像制御マイコン８１は、操作部１７の操作に応じて送信される選択項目に対応する入力信号（即ち、選択操作種別）に基づいて後述のキャラクタ識別子（即ち、選択データ）を決定し、該キャラクタ識別子をワークＲＡＭ８４に記憶する。
【００８４】
また、前述のワークＲＡＭ８４とカレンダＩＣ８５は、バックアップ対象となっている。つまり、画像制御マイコン８１に供給される電源が遮断された場合であっても、電源が供給され続け、記憶された情報等の消去が防止される。
【００８５】
画像制御ＩＣ８６は、画像制御マイコン８１により決定された演出内容（前述の報知態様演出など）に応じた画像を生成し、液晶表示装置１３１に出力する（図３）。
【００８６】
制御ＲＡＭ８７は、画像制御ＩＣ８６の中に含まれている。画像制御マイコン８１は、この制御ＲＡＭ８７に対して情報等の書き込みや読み出しを行う。また、制御ＲＡＭ８７には、画像制御ＩＣ８６のレジスタと、スプライト属性テーブルと、カラーパレットテーブルと、が展開されている。画像制御マイコン８１は、画像制御ＩＣ８６のレジスタと、スプライト属性テーブルとを所定のタイミングごとに更新する。
【００８７】
画像制御ＩＣ８６には、液晶表示装置１３１と、画像ＲＯＭ８８と、ビデオＲＡＭ８９とが接続されている。尚、画像ＲＯＭ８８が画像制御マイコン８１に接続された構成であってもよい。この場合、３次元画像データなど大量の画像データを処理する場合に有効な構成となる場合がある。画像ＲＯＭ８８は、画像を生成するための画像データ、ドットデータ等を格納する。ビデオＲＡＭ８９は、画像制御ＩＣ８６で画像を生成する場合の一時記憶手段として構成される。また、画像制御ＩＣ８６は、ビデオＲＡＭ８９のデータを液晶表示装置１３１に転送終了する毎に画像制御マイコン８１に信号を送信する。
【００８８】
また、画像制御回路（ｇＳｕｂ）７２ａでは、画像制御マイコン８１が、音・ランプの演出の制御も行うこととなっている。画像制御マイコン８１は、決定された演出に基づいて、音・ランプの種類及び出力タイミングを決定する。そして、画像制御マイコン８１は、所定のタイミングごとに、音・ランプ制御回路（ｍＳｕｂ）７２ｂにシリアルポート８２を介してコマンドを送信する。音・ランプ制御回路（ｍＳｕｂ）７２ｂでは、主に、画像制御回路（ｇＳｕｂ）７２ａから送信されたコマンドに応じて、音・ランプの出力のみを行うこととなる。
【００８９】
音・ランプ制御回路（ｍＳｕｂ）７２ｂは、音・ランプ制御マイコン１１１、シリアルポート１１２、プログラムＲＯＭ１１３、ワークＲＡＭ１１４、音源ＩＣ１１５、パワーアンプ１１６、音源ＲＯＭ１１７で構成される。
【００９０】
音・ランプ制御マイコン１１１は、ＣＰＵ、割込コントローラ、入出力ポート（シリアルポートは図示）を備えている。音・ランプ制御マイコン１１１に備えられたＣＰＵは、画像制御回路（ｇＳｕｂ）７２ａから送信されたコマンドに基づき、プログラムＲＯＭ１１３内に格納された制御プログラムに従って音・ランプの出力処理を行う。また、音・ランプ制御マイコン１１１には、ＬＥＤ類１００ａ及びランプ類１００ｂが接続されている。音・ランプ制御マイコン１１１は、画像制御回路（ｇＳｕｂ）７２ａから所定のタイミングで送信されるコマンドに応じて、このＬＥＤ類１００ａ及びランプ類１００ｂに出力信号を送信する。これにより、ＬＥＤ類１００ａ及びランプ類１００ｂが演出に応じた所定の態様で発光することとなる。
【００９１】
シリアルポート１１２は、画像制御回路（ｇＳｕｂ）７２ａから送信されるコマンド等を受信する。プログラムＲＯＭ１１３は、音・ランプ制御マイコン１１１で実行する制御プログラム等を格納する。ワークＲＡＭ１１４は、音・ランプ制御マイコン１１１が前述した制御プログラムを実行する場合の、作業用の一時記憶手段として構成される。
【００９２】
音源ＩＣ１１５は、画像制御回路（ｇＳｕｂ）７２ａから送信されたコマンドに基づいて音源を生成し、パワーアンプ１１６に出力する。パワーアンプ１１６は増幅器であり、このパワーアンプ１１６にはスピーカ９Ｌ，９Ｒが接続されている。パワーアンプ１１６は、音源ＩＣ１１５から出力された音源を増幅し、増幅した音源をスピーカ９Ｌ，９Ｒから出力させる。音源ＲＯＭ１１７は、音源を生成するための音源データ（フレーズ等）等を格納する。
【００９３】
また、音・ランプ制御マイコン１１１には、音量調節部１０３が接続されている。音量調節部１０３は、遊技場の従業員等により操作可能となっており、スピーカ９Ｌ，９Ｒから出力される音量の調節が行われる。音・ランプ制御マイコン１１１は、音量調節部１０３から送信される入力信号に基づいて、スピーカ９Ｌ，９Ｒから出力される音を入力された音量に調節する制御を行う。
【００９４】
図７を参照して、液晶表示部２ｂの表示例について説明する。
【００９５】
図７の（１）は、リプレイＢに係る図柄の組合せが図柄表示領域２１Ｌ，２１Ｃ，２１Ｒに表示されたこと（即ち、表示役がリプレイＢであると判別されたこと）を契機として、液晶表示部２ｂに表示される表示例Ａを示す。表示例Ａでは、「十字ボタンを使って、好きなキャラクター（キャラクタ）を選んで、○ボタンを使って、決定してくれ！」という文言と、キャラクタ（キャラクタ識別子「Ａ」に対応するキャラクタ２０１、キャラクタ識別子「Ｂ」に対応するキャラクタ２０２、キャラクタ識別子「Ｃ」に対応するキャラクタ２０３、及びキャラクタ識別子「Ｄ」に対応するキャラクタ２０４）と、キャラクタが拡大された画像及びこのキャラクタに関する説明文が表わされた説明欄２０５とが示されている。キャラクタ識別子は、キャラクタの種別を識別するための情報である。
【００９６】
ここで、キャラクタ２０１、キャラクタ２０２、及びキャラクタ２０４を示す画像を不鮮明な画像とすることで、キャラクタ２０３は、他のキャラクタよりも強調して表示される。このように強調して表示されるキャラクタが遊技者の操作部１７（いわゆる十字ボタン）の操作に対応するように制御されることで、遊技者は、操作部１７を使っていずれのキャラクタを選択しているかを容易に把握することができる。また、遊技者は、操作部１７（いわゆる○ボタン）を操作（押圧操作）することにより、選択したキャラクタの決定が行われる。
【００９７】
説明欄２０５には、遊技者により選択されているキャラクタ２０３の拡大された画像が表示され、このキャラクタ２０３に関する説明文「特技：設定推測」が示されている。実施例では、特技は、キャラクタ識別子に対応して設定されている。また、特技には、「ボーナス当否推測」、「ボーナス種別推測」、「設定推測」などがある。これらの特技に係る演出は、ＲＴ２区間において行われる。例えば、「ボーナス当否推測」を特技とするキャラクタ２０１が用いられてＲＴ２区間において行われる演出には、ボーナスが当籤しているか否かを推測することができる要素を含む演出が設けられる。「ボーナス種別推測」を特技とするキャラクタ２０２が用いられてＲＴ２区間において行われる演出には、ボーナスの種別（ＭＢ又はＢＢ）を推測することができる要素を含む演出が設けられる。「設定推測」を特技とするキャラクタ２０３が用いられてＲＴ２区間において行われる演出には、遊技機１の設定値を推測することができる要素を含む演出が設けられる。
【００９８】
すなわち、遊技者により選択されるキャラクタ（即ち、キャラクタ識別子）に応じて、ＲＴ２区間では、ボーナス当否推測、ボーナス種別推測、設定推測などを可能とする演出の種別が異なるように構成されている。したがって、遊技者は、選択するキャラクタにより、ＲＴ２区間において行われる演出の種別を自分の好みのものとすることができるので、ＲＴ２区間で行われる演出への関心を高めることができる。また、ＲＴ２区間では、上述した推測をすることができる要素を含む演出が行われることがあるので、遊技者は、ボーナスの当否、ボーナスの種別、遊技機１の設定値などの関心事を推測して演出を楽しむことができる。
【００９９】
図７の（２）は、ＲＴ２区間において、開始操作を契機として液晶表示部２ｂに表示される表示例Ｂを示す。表示例Ｂでは、自動車に乗って高速道路を走行するキャラクタ２０３とキャラクタ２０３とは逆方向に赤いバイクに乗って高速道路を走行するキャラクタ２０１とが示されている。
【０１００】
この表示例Ｂでは、内部当籤役がチェリーであることを報知している。すなわち、内部当籤役に係る事柄（例えば、表示役）から連想される色に対応する画像を液晶表示部２ｂに表示することにより、遊技者は、内部当籤役を把握できる。
【０１０１】
図８を参照して、図柄組合せテーブルについて説明する。
【０１０２】
図柄組合せテーブルは、一の有効ラインにより結ばれる３つの図柄停止位置の各々に停止表示された図柄の組合せに対応する表示役と、表示役に対応する払出枚数の情報を備えている。この図柄組合せテーブルは、全リール３Ｌ，３Ｃ，３Ｒが停止した後、有効ラインに沿って表示された図柄の組合せに応じて払出枚数を決定する場合に参照される。
【０１０３】
有効ラインに沿って“チェリー（角）−ＡＮＹ−ＡＮＹ”又は“チェリー（中）−ＡＮＹ−ＡＮＹ”が並ぶと表示役がチェリーとなる。いずれの図柄の組合せになるかは、停止ボタン７Ｌの操作タイミングが関わる。“チェリー（中）−ＡＮＹ−ＡＮＹ”となるのは、センターライン８ｃの位置に“チェリー”のいわゆる「ビタ押し」が行われたときである。“チェリー（角）”は、図柄表示領域２１Ｌの上段又は下段に停止表示された“チェリー”を示す。“チェリー（中）”は、図柄表示領域２１Ｌの中段に停止表示された“チェリー”を示す。“ＡＮＹ”は、任意の図柄を示す。また、有効ラインに沿って“チェリー（角）−ＡＮＹ−ＡＮＹ”が並ぶと、メダルが４枚払出される。有効ラインに沿って“チェリー（中）−ＡＮＹ−ＡＮＹ”が並ぶと、メダルが２枚払出される。
【０１０４】
有効ラインに沿って“ベル−ベル−ベル”が並ぶと表示役がベルになり、メダルが１０枚払出される。有効ラインに沿って“スイカ−スイカ−スイカ”が並ぶと表示役がスイカになり、メダルが６枚払出される。有効ラインに沿って“ＢＡＲ−赤７−赤７”が並ぶと表示役が特殊赤になり、メダルが１枚払出される。有効ラインに沿って“ベルト−ベル−ベル”が並ぶと表示役が特殊ベルになり、メダルが９枚払出される。有効ラインに沿って“ベルト−ベルト−ベルト”が並ぶと表示役がベルトになり、メダルが３枚払出される。有効ラインに沿って“激−激−激”が並ぶと表示役が激になり、メダルが９枚払出される。
【０１０５】
有効ラインに沿って“激−リプレイ−リプレイ”が並ぶと表示役がリプレイＢ１になり、メダルが自動的に投入される（いわゆる再遊技となる）。また、表示役がリプレイＢ１になることを契機として、ＲＴ２遊技数カウンタに「１５０」が格納され（後述の図３０のステップＳ１４４）、ＲＴ２区間が開始する。有効ラインに沿って“ＢＡＲ−リプレイ−リプレイ”が並ぶと表示役がリプレイＢ２になり、再遊技となる。また、表示役がリプレイＢ２になることを契機として、ＲＴ２遊技数カウンタに「１５０」が格納され（後述の図３０のステップＳ１４４）、ＲＴ２区間が開始する。
【０１０６】
有効ラインに沿って“青７−リプレイ−リプレイ”が並ぶと表示役がリプレイＢ３になり、再遊技となる。また、表示役がリプレイＢ３になることを契機として、ＲＴ２遊技数カウンタに「１５０」が格納され（後述の図３０のステップＳ１４４）、ＲＴ２区間が開始する。有効ラインに沿って“赤７−リプレイ−リプレイ”が並ぶと表示役がリプレイＢ４になり、再遊技となる。また、表示役がリプレイＢ４になることを契機として、ＲＴ２遊技数カウンタに「１５０」が格納され（後述の図３０のステップＳ１４４）、ＲＴ２区間が開始する。
【０１０７】
有効ラインに沿って“リプレイ−リプレイ−リプレイ”が並ぶと表示役がリプレイＡになり、再遊技となる。有効ラインに沿って“ＢＡＲ−ＢＡＲ−ＢＡＲ”が並ぶと表示役がＭＢになり、遊技状態がＣＢ遊技状態に移行する。有効ラインに沿って“青７−青７−青７”が並ぶと表示役がＢＢ２になり、遊技状態がＲＢ遊技状態に移行する。有効ラインに沿って“赤７−赤７−赤７”が並ぶと表示役がＢＢ１になり、遊技状態がＲＢ遊技状態に移行する。
【０１０８】
ここで、ハズレに対応する図柄の組合せは、予め定められた内部当籤役に対応する図柄の組合せとは別の任意の図柄の組合せであるとも考えることができるが、実施例では、ハズレに対応する図柄の組合せは設けられていないものとする。このように、図柄組合せテーブルには、基本的に、遊技者に付与される利益（例えば、メダルの払出し、ボーナスゲームの作動）に対応付けられた情報が格納されている。ただし、ハズレは、遊技者に付与される利益に対応付けられた内部当籤役ではない。
【０１０９】
図９を参照して、内部抽籤テーブル決定テーブルについて説明する。
【０１１０】
内部抽籤テーブル決定テーブルは、遊技状態に対応する内部抽籤テーブル（後述の図１０及び図１１）及び抽籤回数の情報を備えている。一般遊技状態（即ち、通常区間及び持越区間）の場合は、一般遊技状態用の内部抽籤テーブル（後述の図１０の（１））が選択され、基本的に、抽籤回数として「１５」が決定される（後述の図２５のステップＳ７１）。ＣＢ遊技状態の場合は、一般遊技状態用の内部抽籤テーブル（後述の図１０の（１））が選択され、基本的に、抽籤回数として「７」が決定される（後述の図２５のステップＳ７１）。ＲＢ遊技状態の場合は、ＲＢ遊技状態用の内部抽籤テーブル（後述の図１０の（２））が選択され、抽籤回数として「７」が決定される。
【０１１１】
抽籤回数は、サンプリング回路３７により抽出された一の乱数値が所定の範囲（図１０及び図１１に示す当籤番号に対応する下限値及び上限値により示される数値範囲）内か否かを判別する回数である。ただし、持越区間の場合には、「１５」と決定された抽籤回数が「１２」に更新される（後述の図２５のステップＳ７３）。
【０１１２】
図１０及び図１１を参照して、設定値毎に当籤番号に対応した数値範囲（即ち、下限値及び上限値）の情報（データ）を備える内部抽籤テーブルについて説明する。
【０１１３】
図１０の（１）は、一般遊技状態（即ち、通常区間及び持越区間）において用いられる一般遊技状態用内部抽籤テーブルを示す。図１０の（２）は、ＲＢ遊技状態において用いられるＲＢ遊技状態用内部抽籤テーブルを示す。図１１の（１）は、ＲＴ１区間において用いられるＲＴ１用内部抽籤テーブルを示す。図１１の（２）は、ＲＴ２区間において用いられるＲＴ２用内部抽籤テーブルを示す。
【０１１４】
ここで、ＲＴ１用内部抽籤テーブルは、リプレイＢ（当籤番号「８」〜当籤番号「１１」）に対応する数値範囲が、一般遊技状態用内部抽籤テーブルに規定されるリプレイＢに対応する数値範囲よりも広くなるように構成されている。すなわち、ＲＴ１用内部抽籤テーブルに基づいてリプレイＢが決定される確率は、一般遊技状態用内部抽籤テーブルに基づいてリプレイＢが決定される確率よりも高くなるように構成されている。
【０１１５】
例えば、設定が「６」の場合において、一般遊技状態用内部抽籤テーブルに規定される当籤番号「８」（即ち、リプレイＢ１）に対応する数値範囲は、下限値が「６５４８７」で上限値が「６５５３５」である。よって、リプレイＢ１に当籤する確率は、「４９／６５５３６」となる。他方、設定が「６」の場合において、ＲＴ１用内部抽籤テーブルに規定される当籤番号「８」（即ち、リプレイＢ１）に対応する数値範囲は、下限値が「６２９８５」で上限値が「６５５３５」である。よって、リプレイＢ１に当籤する確率は、「２５５１／６５５３６」となる。すなわち、設定が「６」の場合において、ＲＴ１用内部抽籤テーブルに基づいてリプレイＢが決定される確率は、一般遊技状態用内部抽籤テーブルに基づいてリプレイＢが決定される確率よりも高くなるように構成されている。なお、リプレイＢ１〜リプレイＢ４に対応する数値範囲は、同一の数値範囲に設定されており、リプレイＢ１〜リプレイＢ４は、同時に内部当籤するようになっている。すなわち、図４に示したように、左リール３Ｌの図柄配列を参照して説明すると、リプレイＢ１に対応する“激（図柄９９）”の図柄、リプレイＢ２に対応する“ＢＡＲ（図柄９３）”の図柄、リプレイＢ３に対応する“青７（図柄９２）”の図柄、リプレイＢ４に対応する“赤７（図柄９１）”の図柄が４駒以内に配置されていることから、リプレイＢが内部当籤役として決定された場合は、リプレイＢ１〜リプレイＢ４の何れかに対応する図柄の組合せが表示されるようになっている。つまり、リプレイＢは取りこぼすことがなく、遊技状態が必ず再遊技高確率状態（即ち、ＲＴ２区間）に移行するようになっている。
【０１１６】
また、ＲＴ２用内部抽籤テーブルは、リプレイＡ（当籤番号「１２」）に対応する数値範囲が、一般遊技状態用内部抽籤テーブルに規定されるリプレイＡに対応する数値範囲よりも広くなるように構成されている。すなわち、ＲＴ２用内部抽籤テーブルに基づいてリプレイＡが決定される確率は、一般遊技状態用内部抽籤テーブルに基づいてリプレイＡが決定される確率よりも高くなるように構成されている。
【０１１７】
例えば、設定が「６」の場合において、一般遊技状態用内部抽籤テーブルに規定される当籤番号「１２」（即ち、リプレイＡ）に対応する数値範囲は、下限値が「７６５８」で上限値が「１６６３８」である。よって、リプレイＡに当籤する確率は、「８９８１／６５５３６」となる。他方、設定が「６」の場合において、ＲＴ２用内部抽籤テーブルに規定される当籤番号「１２」（即ち、リプレイＡ）に対応する数値範囲は、下限値が「７５５８」で上限値が「６４８３４」である。よって、リプレイＡに当籤する確率は、「５７２７７／６５５３６」となる。すなわち、設定が「６」の場合において、ＲＴ２用内部抽籤テーブルに基づいてリプレイＡが決定される確率は、一般遊技状態用内部抽籤テーブルに基づいてリプレイＡが決定される確率よりも高くなるように構成されている。
【０１１８】
内部抽籤テーブルに基づく当籤番号の決定では、「０」〜「６５５３５」の範囲から抽出された乱数値が当籤番号に対応する下限値及び上限値により示される数値範囲内にあるか否かが判別される。抽出された乱数値がこの数値範囲内にある場合、対応する当籤番号に当籤（即ち、決定）となる。そして、決定された当籤番号及び内部当籤役決定テーブル（後述の図１２）に基づいて内部当籤役が決定される。
【０１１９】
また、内部抽籤テーブルは、特定の内部当籤役が決定される乱数値の属する数値範囲と所定の内部当籤役が決定される乱数値の属する数値範囲とが一部の範囲で重複するように規定されている。すなわち、一の乱数値により特定の内部当籤役と所定の内部当籤役とを共に決定する（即ち、同時に当籤する）ことが許容される。
【０１２０】
例えば、一般遊技状態用内部抽籤テーブルにおける設定「６」では、当籤番号「１」に対応する下限値及び上限値により示される数値範囲と当籤番号「１５」に対応する下限値及び上限値により示される数値範囲とは、数値範囲「１７６９」〜「１８１３」において重複する。したがって、一般遊技状態（ただし、持越役のデータが後述の持越役格納領域に格納されている場合を除く）で設定「６」の場合において抽出された乱数値が「１８００」のときには、この乱数値は、「１７６９」〜「１８１３」の数値範囲に含まれるので、当籤番号「１」及び「１５」で当籤となり、内部当籤役決定テーブル（後述の図１２）に基づいて、内部当籤役としてチェリー及びＢＢ１の両方が決定される。
【０１２１】
図１２を参照して、内部当籤役決定テーブルについて説明する。
【０１２２】
内部当籤役決定テーブルは、当籤番号に対応する内部当籤役の情報（データ）を備えている。内部当籤役のデータは２進数で表されている。当籤番号に対応して示されている内部当籤役１と内部当籤役２は、内部当籤役を識別するための情報であり、各々１バイトのデータである。内部当籤役１は、基本的に、持越役に関わる。
【０１２３】
一般遊技状態、ＲＢ遊技状態では、当籤番号が「０」の場合には、内部当籤役としてハズレが決定される。すなわち、内部当籤役のデータとして、「００００００００」（内部当籤役１）及び「００００００００」（内部当籤役２）が決定される。当籤番号が「１」の場合には、内部当籤役としてチェリーが決定される。すなわち、内部当籤役のデータとして、「００００００００」（内部当籤役１）及び「０００００００１」（内部当籤役２）が決定される。当籤番号が「２」の場合には、内部当籤役としてベルが決定される。すなわち、内部当籤役のデータとして、「００００００００」（内部当籤役１）及び「００００００１０」（内部当籤役２）が決定される。
【０１２４】
当籤番号が「３」の場合には、内部当籤役としてスイカが決定される。すなわち、内部当籤役のデータとして、「００００００００」（内部当籤役１）及び「０００００１００」（内部当籤役２）が決定される。当籤番号が「４」の場合には、内部当籤役として特殊赤が決定される。すなわち、内部当籤役のデータとして、「００００００００」（内部当籤役１）及び「００００１０００」（内部当籤役２）が決定される。当籤番号が「５」の場合には、内部当籤役として特殊ベルが決定される。すなわち、内部当籤役のデータとして、「００００００００」（内部当籤役１）及び「０００１００００」（内部当籤役２）が決定される。
【０１２５】
当籤番号が「６」の場合には、内部当籤役としてベルトが決定される。すなわち、内部当籤役のデータとして、「００００００００」（内部当籤役１）及び「００１０００００」（内部当籤役２）が決定される。当籤番号が「７」の場合には、内部当籤役として激が決定される。すなわち、内部当籤役のデータとして、「００００００００」（内部当籤役１）及び「０１００００００」（内部当籤役２）が決定される。当籤番号が「８」の場合には、内部当籤役としてリプレイＢ１が決定される。すなわち、内部当籤役のデータとして、「０００００００１」（内部当籤役１）及び「００００００００」（内部当籤役２）が決定される。
【０１２６】
当籤番号が「９」の場合には、内部当籤役としてリプレイＢ２が決定される。すなわち、内部当籤役のデータとして、「００００００１０」（内部当籤役１）及び「００００００００」（内部当籤役２）が決定される。当籤番号が「１０」の場合には、内部当籤役としてリプレイＢ３が決定される。すなわち、内部当籤役のデータとして、「０００００１００」（内部当籤役１）及び「００００００００」（内部当籤役２）が決定される。当籤番号が「１１」の場合には、内部当籤役としてリプレイＢ４が決定される。すなわち、内部当籤役のデータとして、「００００１０００」（内部当籤役１）及び「００００００００」（内部当籤役２）が決定される。
【０１２７】
当籤番号が「１２」の場合には、内部当籤役としてリプレイＡが決定される。すなわち、内部当籤役のデータとして、「０００１００００」（内部当籤役１）及び「００００００００」（内部当籤役２）が決定される。当籤番号が「１３」の場合には、内部当籤役としてＭＢが決定される。すなわち、内部当籤役のデータとして、「００１０００００」（内部当籤役１）及び「００００００００」（内部当籤役２）が決定される。当籤番号が「１４」の場合には、内部当籤役としてＢＢ２が決定される。すなわち、内部当籤役のデータとして、「０１００００００」（内部当籤役１）及び「００００００００」（内部当籤役２）が決定される。当籤番号が「１５」の場合には、内部当籤役としてＢＢ１が決定される。すなわち、内部当籤役のデータとして、「１０００００００」（内部当籤役１）及び「００００００００」（内部当籤役２）が決定される。
【０１２８】
ＣＢ遊技状態では、当籤番号が０〜７のいずれの場合においても、内部当籤役として複合役が決定される。すなわち、内部当籤役のデータとして、「００００００００」（内部当籤役１）及び「０１１１１１１１」（内部当籤役２）が決定される。
【０１２９】
図１３を参照して、ボーナス作動時テーブルについて説明する。
【０１３０】
ボーナス作動時テーブルは、表示役毎に、作動中フラグ、ボーナス終了枚数カウンタにセットされる値、遊技可能回数、及び入賞可能回数の情報を備えている。作動中フラグは、作動している遊技状態（現在の遊技状態）を識別するための情報である。実施例での作動中フラグには、ＲＢ作動中フラグ、ＢＢ作動中フラグ、ＭＢ作動中フラグ、及びＣＢ作動中フラグがある。
【０１３１】
ＲＢ作動中フラグは、遊技状態がＲＢ遊技状態であるか否かを識別するための情報である。ＲＢ作動中フラグがオンに更新される条件は、後述のＢＢ作動中フラグがオンであることである。ＲＢ作動中フラグがオフに更新される条件は、遊技可能回数が「０」となること、入賞可能回数が「０」となること、又はＢＢ作動中フラグがオフに更新されることである。遊技可能回数は、ＲＢ遊技状態において行うことが可能な単位遊技の回数である。入賞可能回数は、ＲＢ遊技状態において入賞に係る図柄の組み合わせが表示されることが可能な単位遊技の回数である。
【０１３２】
ＢＢ作動中フラグは、ＢＢの成立により発生する有利な状態であるか否かを識別するための情報である。ＢＢ作動中フラグがオンに更新される条件は、ＢＢが成立することである。ＢＢ作動中フラグがオフに更新される条件は、払出されたメダルの枚数が払出可能枚数を超えること（ボーナス終了枚数カウンタが「０」になること）である。払出可能枚数は、ＢＢ作動中フラグがオンに更新されてからＢＢ作動中フラグがオフに更新されるまでのゲームにおいて払出すことが可能なメダルの枚数である。ＢＢが成立した場合には、ボーナス終了枚数カウンタの初期値として、「２３０」がセットされる。ボーナス終了枚数カウンタは、ＢＢ作動中フラグ又はＭＢ作動中フラグがオンに更新されてからオフに更新されるまでの遊技において払出されたメダルの枚数を計数するカウンタである。
【０１３３】
ここで、ＢＢ作動中フラグがオンに更新されてからオフに更新されるまでのＢＢ作動中フラグとＲＢ作動中フラグとの関係について説明する。ＢＢが成立した場合に、ＢＢ作動中フラグがオンに更新される。このＢＢ作動中フラグがオンに更新されたことを契機にＲＢ作動中フラグがオンに更新される。そして、遊技可能回数が「０」になるか、又は入賞可能回数が「０」になると、ＲＢ作動中フラグがオフに更新される。ＢＢ作動中フラグがオンであれば、再びＲＢ作動中フラグがオンに更新される。
【０１３４】
ＢＢ作動中フラグがオフに更新される条件を充足した場合に、ＢＢ作動中フラグがオフに更新されるが、このＢＢ作動中フラグがオフに更新されたことを契機にＲＢ作動中フラグがオフに更新される。したがって、ＢＢ作動中フラグがオンであるときは、ＲＢ作動中フラグがオンに更新される。すなわち、ＢＢ成立後は、ＢＢ作動中フラグがオフに更新されるまでＲＢ遊技状態となる。
【０１３５】
ＣＢ作動中フラグは、遊技状態がＣＢ遊技状態であるか否かを識別するための情報である。ＣＢ作動中フラグがオンに更新される条件は、後述のＭＢ作動中フラグがオンであることである。ＣＢ作動中フラグがオフに更新（後述の図２９のステップＳ１２２）される条件は、一のゲームが終了することである。
【０１３６】
ＭＢ作動中フラグは、ＭＢの成立により発生する有利な状態であるか否かを識別するための情報である。ＭＢ作動中フラグがオンに更新される条件は、ＭＢが成立することである。ＭＢ作動中フラグがオフに更新される条件は、払出されたメダルの枚数が払出可能枚数を超えること（ボーナス終了枚数カウンタが「０」になること）である。払出可能枚数は、ＭＢ作動中フラグがオンに更新されてからＭＢ作動中フラグがオフに更新されるまでのゲームにおいて払出すことが可能なメダルの枚数である。ＭＢが成立した場合には、ボーナス終了枚数カウンタの初期値として、「１１４」がセットされる。
【０１３７】
ここで、ＭＢ作動中フラグがオンに更新されてからオフに更新されるまでのＭＢ作動中フラグとＣＢ作動中フラグとの関係について説明する。ＭＢが成立した場合に、ＭＢ作動中フラグがオンに更新される。このＭＢ作動中フラグがオンである場合には、ＣＢ作動中フラグがオンに更新される。そして、ゲーム終了時にＣＢ作動中フラグはオフに更新される。ゲームの開始時にＭＢ作動中フラグがオンであれば、再びＣＢ作動中フラグがオンに更新される。
【０１３８】
ＭＢ作動中フラグがオフに更新される条件を充足した場合に、ＭＢ作動中フラグがオフに更新されるが、このＭＢ作動中フラグがオフに更新されたことを契機に、ＣＢ作動中フラグがオフに更新された状態が維持される。したがって、ＭＢ作動中フラグがオンであるときは、ＣＢ作動中フラグがオンに更新される。すなわち、ＭＢ成立後は、ＭＢ作動中フラグがオフに更新されるまでＣＢ遊技状態となる。
【０１３９】
図１４を参照して、内部当籤役１、内部当籤役２、持越役、及び乱数値の格納領域（記憶領域）について説明する。
【０１４０】
図１４の（１）は、内部当籤役１格納領域を示す。ビット０は、リプレイＢ１に対応する格納領域である。ビット１は、リプレイＢ２に対応する格納領域である。ビット２は、リプレイＢ３に対応する格納領域である。ビット３は、リプレイＢ４に対応する格納領域である。ビット４は、リプレイＡに対応する格納領域である。ビット５は、ＭＢに対応する格納領域である。ビット６は、ＢＢ２に対応する格納領域である。ビット７は、ＢＢ１に対応する格納領域である。
【０１４１】
図１４の（２）は、内部当籤役２格納領域を示す。ビット０は、チェリーに対応する格納領域である。ビット１は、ベルに対応する格納領域である。ビット２は、スイカに対応する格納領域である。ビット３は、特殊赤に対応する格納領域である。ビット４は、特殊ベルに対応する格納領域である。ビット５は、ベルトに対応する格納領域である。ビット６は、激に対応する格納領域である。ビット７は、未使用の格納領域である。
【０１４２】
図１４の（３）は、持越役格納領域を示す。ビット０〜ビット４は、未使用の格納領域である。ビット５は、ＭＢに対応する格納領域である。ビット６は、ＢＢ２に対応する格納領域である。ビット７は、ＢＢ１に対応する格納領域である。すなわち、持越役がある場合（持越区間である場合）には、持越役格納領域のＭＢ、ＢＢ１、又はＢＢ２に対応する格納領域に１が格納される。
【０１４３】
図１４の（４）は、乱数値格納領域を示す。乱数値格納領域には、抽籤用の乱数として「０」〜「６５５３５」のうち、いずれか１つの数値情報が抽出され、抽出された数値情報（即ち、後述の図２０のステップＳ５で抽出される抽籤用の乱数に関する数値情報）が格納される。
【０１４４】
図１５〜図１９を参照して、演出テーブルについて説明する。
【０１４５】
演出テーブルは、内部当籤役毎に複数の抽籤値と、これらの抽籤値の各々に対応する演出識別子とを備える。この演出テーブルを参照して、抽出した乱数値と内部当籤役と抽籤値とに基づいて演出識別子の選択（決定）が行われる。演出識別子（演出データ）は、液晶表示部２ｂに画像が表示されること及びスピーカ９Ｌ，９Ｒから音が出力されることにより行われる演出の種別を識別するための情報であり、当該演出の種別の夫々に対応して設けられる。
【０１４６】
例えば、図１５の（１）に示す演出テーブルＡを参照して行われる演出識別子の決定では、内部当籤役がチェリーで、乱数範囲「０」〜「３２７６７」から抽出した乱数値が「３００」である場合には、初めに、乱数値「３００」から内部当籤役がチェリーで演出識別子「１」に対応する抽籤値「２５０」を減算する。この演算結果は、「５０」である（正の整数である）。次に、この演算結果「５０」から演出識別子「２」に対応する抽籤値「０」を減算する。この演算結果は、「５０」である（正の整数である）。次に、この演算結果「５０」から演出識別子「３」に対応する抽籤値「１００」を減算する。この演算結果は、「−５０」である（負の整数である）。このように順次演算を行い、演算結果が負の整数となった場合の抽籤値に対応する演出識別子が演出で用いられる演出識別子として決定される。すなわち、この例では、上記抽籤値「１００」に対応する演出識別子「３」が演出で用いられる演出識別子として決定される。このようにして決定された演出識別子に基づいて演出が行われる（例えば、図７に示す表示例Ｂ）。
【０１４７】
また、演出テーブルは、基本的に、キャラクタ識別子、持越役の有無、及び設定値ごとに設けられている。例えば、図１５及び図１６に示すように、キャラクタ識別子が「Ｃ」のときに用いられる演出テーブルは、演出テーブルＥ及び演出テーブルＦ、演出テーブルＧ及び演出テーブルＨ、若しくは、演出テーブルＩ及び演出テーブルＪである。ただし、キャラクタ識別子「Ａ」に対応する演出テーブル及びキャラクタ識別子「Ｂ」に対応する演出テーブルは、設定値ごとに設けられていない。例えば、図１５及び図１６に示すように、キャラクタ識別子が「Ａ」のときに用いられる演出テーブルは、演出テーブルＡ及び演出テーブルＢである。また、キャラクタ識別子が「Ｂ」のときに用いられる演出テーブルは、演出テーブルＣ及び演出テーブルＤである。
【０１４８】
図１５の（１）に示す演出テーブルＡは、キャラクタ識別子が「Ａ」であり、持越役が無い場合に、ＲＴ２区間において演出識別子を決定するときに用いられる。図１５の（２）に示す演出テーブルＢは、キャラクタ識別子が「Ａ」であり、持越役が有る場合に、ＲＴ２区間において演出識別子を決定するときに用いられる。すなわち、ＲＴ２区間では、図７の（１）に示す表示例Ａにおいてキャラクタ２０１が選択された場合に、持越役が無いときは演出テーブルＡ、持越役が有るときは演出テーブルＢが用いられて演出識別子が決定される。
【０１４９】
ここで、演出テーブルＢにおける演出識別子「３」に対応する抽籤値の夫々は、演出テーブルＡにおける演出識別子「３」に対応する抽籤値の夫々よりも相対的に大きくなるように規定されている。また、演出テーブルＢにおける演出識別子「２」に対応する抽籤値の夫々は、基本的に、「１」以上の値が規定されているのに対し、演出テーブルＢにおける演出識別子「２」に対応する抽籤値の夫々は、「０」が規定されている（全て「０」である）。
【０１５０】
したがって、選択されたキャラクタがキャラクタ２０１であるときには、演出識別子「３」に係る演出は、持越役が無い場合に行われることもあるが、持越役が有る場合に行われる頻度が相対的に高くなるので、演出識別子「３」に係る演出が行われた場合に、遊技者は、ボーナスに当籤しているのではないかという推測をすることができる。すなわち、キャラクタ２０１が用いられて行われる演出識別子「３」に係る演出は、ボーナスが当籤しているか否かを示唆する要素（いわゆるボーナス当否推測要素）が対応付けられた演出と言える。また、演出識別子「２」に係る演出は、持越役が有るときにのみ行われるように演出テーブルの抽籤値が規定されているので、演出識別子「２」に係る演出が行われた場合には、遊技者は、ボーナスに当籤していることを確実に把握できる。
【０１５１】
ここで、演出テーブルＢにおける演出識別子「３」に対応する抽籤値の夫々は、相対的に（即ち、演出テーブルＢ以外の演出テーブルに規定される演出識別子「３」に対応する抽籤値と比べて）大きくなるように規定されているので、キャラクタ識別子「Ａ」が決定されている場合に演出テーブルＢが用いられて演出識別子「３」が決定される確率は、相対的に高くなる。よって、ボーナスの当否を示唆する要素が対応付けられた演出識別子「３」に係る演出の頻度が多くなることで、遊技者は、ボーナスの当否を推測することができる。
【０１５２】
図１６の（１）に示す演出テーブルＣは、キャラクタ識別子が「Ｂ」であり、持越役が無い場合に、ＲＴ２区間において演出識別子を決定するときに用いられる。図１６の（２）に示す演出テーブルＤは、キャラクタ識別子が「Ｂ」であり、持越役が有る場合に、ＲＴ２区間において演出識別子を決定するときに用いられる。すなわち、ＲＴ２区間では、図７の（１）に示す表示例Ａにおいてキャラクタ２０２が選択された場合に、持越役が無いときは演出テーブルＣ、持越役が有るときは演出テーブルＤが用いられて演出識別子が決定される。
【０１５３】
ここで、演出テーブルＤにおける演出識別子「７」に対応するＭＢの抽籤値は、演出テーブルＣ及び演出テーブルＤにおける演出識別子「７」に対応する他の抽籤値と比べて相対的に高くなるように規定されている。また、演出テーブルＤにおける演出識別子「８」に対応するＭＢ、ＢＢ１、及びＢＢ２の抽籤値は、演出テーブルＣ及び演出テーブルＤにおける演出識別子「８」に対応する他の抽籤値と比べて相対的に高くなるように規定されている。また、演出テーブルＤにおける演出識別子「９」に対応するＢＢ１及びＢＢ２の抽籤値は、演出テーブルＣ及び演出テーブルＤにおける演出識別子「９」に対応する他の抽籤値と比べて相対的に高くなるように規定されている。
【０１５４】
したがって、選択されたキャラクタがキャラクタ２０２であるときには、演出識別子「７」に係る演出は、持越役がＭＢでない場合に行われることもあるが、持越役がＭＢである場合に行われる頻度が相対的に高くなるので、演出識別子「７」に係る演出が行われた場合に、遊技者は、ＭＢに当籤しているのではないかという推測をすることができる。また、演出識別子「９」に係る演出は、持越役がＢＢ（ＢＢ１及びＢＢ２）でない場合に行われることもあるが、持越役がＢＢである場合に行われる頻度が相対的に高くなるので、演出識別子「９」に係る演出が行われた場合に、遊技者は、ＢＢに当籤しているのではないかという推測をすることができる。すなわち、キャラクタ２０２が用いられて行われる演出識別子「７」及び演出識別子「９」に係る演出は、ボーナスの種別を推測することができる要素（いわゆるボーナス種別推測要素）が対応付けられた演出と言える。
【０１５５】
なお、キャラクタ２０２が選択された場合に、演出識別子「７」〜演出識別子「９」に係る演出が行われると、遊技者は、ボーナスに当籤しているのではないかという推測を行うことができる。しかしながら、演出テーブルＤにおける演出識別子「７」〜演出識別子「９」の抽籤値は、演出テーブルＢにおける演出識別子「３」の抽籤値よりも相対的に低くなるように規定されているので、ボーナスの当否を推測するという観点からは、キャラクタ２０２が用いられて行われるボーナス種別推測要素に係る演出により行うボーナスの当否の推測よりも、キャラクタ２０１が用いられて行われるボーナス当否推測要素に係る演出により行うボーナスの当否の推測のほうが容易に行うことができる。
【０１５６】
他方、演出テーブルＤにおける演出識別子「４」に対応するＭＢの抽籤値は、「３００」の値が規定されているのに対し、演出テーブルＣ及び演出テーブルＤにおける演出識別子「４」に対応する他の抽籤値の夫々は、「０」が規定されている（全て「０」である）。すなわち、演出識別子「４」に係る演出が行われた場合には、遊技者は、持越役がＭＢであることを認識することができる。演出テーブルＤにおける演出識別子「５」に対応するＢＢ１の抽籤値は、「３００」の値が規定されているのに対し、演出テーブルＣ及び演出テーブルＤにおける演出識別子「５」に対応する他の抽籤値の夫々は、「０」が規定されている（全て「０」である）。すなわち、演出識別子「５」に係る演出が行われた場合には、遊技者は、持越役がＢＢ１であることを認識することができる。演出テーブルＤにおける演出識別子「６」に対応するＢＢ２の抽籤値は、「３００」の値が規定されているのに対し、演出テーブルＣ及び演出テーブルＤにおける演出識別子「６」に対応する他の抽籤値の夫々は、「０」が規定されている（全て「０」である）。すなわち、演出識別子「６」に係る演出が行われた場合には、遊技者は、持越役がＢＢ２であることを認識することができる。
【０１５７】
このように、キャラクタ２０２が選択された場合に、演出識別子「４」、「５」、及び「６」に係る演出のいずれかが行われた場合には、遊技者は、持越役の種別（即ち、当籤しているボーナスの種別）を確実に認識することができる。
【０１５８】
ここで、演出テーブルＤにおける演出識別子「７」及び演出識別子「９」に対応する抽籤値の夫々は、相対的に（即ち、演出テーブルＤ以外の演出テーブルに規定される演出識別子「７」及び演出識別子「９」に対応する抽籤値と比べて）大きくなるように規定されているので、キャラクタ識別子「Ｂ」が決定されている場合に演出テーブルＤが用いられて演出識別子「７」及び演出識別子「９」が決定される確率は、相対的に高くなる。よって、ボーナスの種別を示唆する要素が対応付けられた演出識別子「７」及び演出識別子「９」に係る演出の頻度が多くなることで、遊技者は、ボーナスの種別を推測することができる。
【０１５９】
図１７の（１）に示す演出テーブルＥは、キャラクタ識別子が「Ｃ」であり、持越役が無く、設定値が「１」である場合に、ＲＴ２区間において演出識別子を決定するときに用いられる。図１７の（２）に示す演出テーブルＦは、キャラクタ識別子が「Ｃ」であり、持越役が有り、設定値が「１」である場合に、ＲＴ２区間において演出識別子を決定するときに用いられる。すなわち、ＲＴ２区間では、図７の（１）に示す表示例Ａにおいてキャラクタ２０３が選択されており、設定値が「１」である場合に、持越役が無いときは演出テーブルＥ、持越役が有るときは演出テーブルＦが用いられて演出識別子が決定される。
【０１６０】
ここで、演出テーブルＥ及び演出テーブルＦにおける演出識別子「１１」に対応する抽籤値の夫々は、相対的に（即ち、演出テーブルＥ及び演出テーブルＦ以外の演出テーブルに規定される演出識別子「１１」に対応する抽籤値と比べて）大きくなるように規定されている。
【０１６１】
したがって、選択されたキャラクタがキャラクタ２０３であり、設定値が「１」であるときには、演出識別子「１１」に係る演出が行われる頻度が相対的に高くなるので、演出識別子「１１」に係る演出が行われた場合に、遊技者は、設定値が「１」ではないかという推測をすることができる。すなわち、キャラクタ２０３が用いられて行われる演出識別子「１１」に係る演出は、設定値を推測することができる要素（いわゆる設定推測要素）が対応付けられた演出と言える。
【０１６２】
また、演出テーブルＥ及び演出テーブルＦにおける演出識別子「１０」に対応する抽籤値の夫々は、基本的に、「１」以上の値が規定されているのに対し、他の演出テーブル（即ち、演出テーブルＥ及び演出テーブルＦ以外の演出テーブル）における演出識別子「１０」に対応する抽籤値の夫々は、「０」が規定されている（全て「０」である）。すなわち、演出識別子「１０」に係る演出が行われると、遊技者は、遊技機の設定値が「１」であることを把握することができる。
【０１６３】
図１８の（１）に示す演出テーブルＧは、キャラクタ識別子が「Ｃ」であり、持越役が無く、設定値が「４」である場合に、ＲＴ２区間において演出識別子を決定するときに用いられる。図１８の（２）に示す演出テーブルＨは、キャラクタ識別子が「Ｃ」であり、持越役が有り、設定値が「４」である場合に、ＲＴ２区間において演出識別子を決定するときに用いられる。すなわち、ＲＴ２区間では、図７の（１）に示す表示例Ａにおいてキャラクタ２０３が選択されており、設定値が「４」である場合に、持越役が無いときは演出テーブルＧ、持越役が有るときは演出テーブルＨが用いられて演出識別子が決定される。
【０１６４】
演出テーブルＧ及び演出テーブルＨの構成は、基本的に、演出テーブルＥ及び演出テーブルＦと同様の構成である。すなわち、演出テーブルＥ及び演出テーブルＦにおける演出識別子「１０」が演出テーブルＧ及び演出テーブルＨにおける演出識別子「１２」に対応し、演出テーブルＥ及び演出テーブルＦにおける演出識別子「１１」が演出テーブルＧ及び演出テーブルＨにおける演出識別子「１３」に対応する構成である。したがって、選択されたキャラクタがキャラクタ２０３であり、設定値が「４」であるときには、演出識別子「１３」に係る演出が行われる頻度が相対的に高くなるので、演出識別子「１３」に係る演出が行われた場合に、遊技者は、設定値が「４」ではないかという推測をすることができる。また、演出識別子「１２」に係る演出が行われると、遊技者は、遊技機の設定値が「４」であることを把握することができる。
【０１６５】
図１９の（１）に示す演出テーブルＩは、キャラクタ識別子が「Ｃ」であり、持越役が無く、設定値が「６」である場合に、ＲＴ２区間において演出識別子を決定するときに用いられる。図１９の（２）に示す演出テーブルＪは、キャラクタ識別子が「Ｃ」であり、持越役が有り、設定値が「６」である場合に、ＲＴ２区間において演出識別子を決定するときに用いられる。すなわち、ＲＴ２区間では、図７の（１）に示す表示例Ａにおいてキャラクタ２０３が選択されており、設定値が「６」である場合に、持越役が無いときは演出テーブルＩ、持越役が有るときは演出テーブルＪが用いられて演出識別子が決定される。
【０１６６】
演出テーブルＩ及び演出テーブルＪの構成は、基本的に、演出テーブルＥ及び演出テーブルＦと同様の構成である。すなわち、演出テーブルＥ及び演出テーブルＦにおける演出識別子「１０」が演出テーブルＩ及び演出テーブルＪにおける演出識別子「１４」に対応し、演出テーブルＥ及び演出テーブルＦにおける演出識別子「１１」が演出テーブルＩ及び演出テーブルＪにおける演出識別子「１５」に対応する構成である。したがって、選択されたキャラクタがキャラクタ２０３であり、設定値が「６」であるときには、演出識別子「１５」に係る演出が行われる頻度が相対的に高くなるので、演出識別子「１５」に係る演出が行われた場合に、遊技者は、設定値が「６」ではないかという推測をすることができる。また、演出識別子「１４」に係る演出が行われると、遊技者は、遊技機の設定値が「６」であることを把握することができる。
【０１６７】
図２０及び図２１に示すメインフローチャートを参照して、主制御回路７１の制御動作について説明する。
【０１６８】
初めに、ＣＰＵ３１は、初期化を行う（ステップＳ１）。具体的には、ＣＰＵ３１は、ＲＡＭ３３の記憶内容の初期化、通信データの初期化等を行い、続いてステップＳ２の処理を行う。ステップＳ２では、ＣＰＵ３１は、ＲＡＭ３３の所定の記憶内容を消去（クリア）する。具体的には、ＣＰＵ３１は、前回のゲームに使用されたＲＡＭ３３の書き込み可能エリアのデータの消去、ＲＡＭ３３の書き込みエリアへの次のゲームに必要なパラメータの書き込み、次のゲームのシーケンスプログラムの開始アドレスの指定等を行う。
【０１６９】
ステップＳ３では、ＣＰＵ３１は、後で図２２を参照して説明するボーナス作動監視処理を行い、続いてステップＳ４の処理を行う。この処理では、ＣＰＵ３１は、ＢＢ作動中フラグがオンである場合には、ＲＢ遊技状態が終了しても続けてＲＢ遊技状態となるようにＲＢ作動中フラグをオンに更新する処理を行う。
【０１７０】
ステップＳ４では、ＣＰＵ３１は、後で図２３を参照して説明するメダル投入・スタートチェック処理を行い、続いてステップＳ５の処理を行う。この処理では、ＣＰＵ３１は、スタートスイッチ６Ｓ、メダルセンサ１０Ｓ、又はＢＥＴスイッチ１１〜１３からの入力に基づいて、ＢＥＴ数の更新などの処理を行う。
【０１７１】
ステップＳ５では、ＣＰＵ３１は、抽籤用の乱数値を抽出し、続いてステップＳ６の処理を行う。この処理で抽出した乱数値は、後述の内部抽籤処理において使用される。ステップＳ６では、ＣＰＵ３１は、後で図２４を参照して説明する遊技状態監視処理を行い、続いてステップＳ７の処理を行う。ステップＳ７では、ＣＰＵ３１は、後で図２５及び図２６を参照して説明する内部抽籤処理を行い、続いてステップＳ８の処理を行う。ステップＳ８では、ＣＰＵ３１は、リール３Ｌ，３Ｃ，３Ｒの回転を停止するときに用いる停止テーブルを決定するためのリール停止初期設定処理を行い、続いてステップＳ９の処理を行う。
【０１７２】
ステップＳ９では、ＣＰＵ３１は、スタートコマンド送信を行い、続いてステップＳ１０の処理を行う。スタートコマンドは、遊技状態、内部当籤役などの情報を含み、副制御回路７２に送信される。ステップＳ１０では、ＣＰＵ３１は、ＲＴ遊技数カウンタ減算処理を行い、続いて図２１のステップＳ１１の処理を行う。ＲＴ遊技数カウンタには、ＲＴ１遊技数カウンタ及びＲＴ２遊技数カウンタが設けられる。すなわち、ＲＴ遊技数カウンタ減算処理では、ＣＰＵ３１は、ＲＴ１遊技数カウンタ又はＲＴ２遊技数カウンタの値が１以上である場合に、ＲＴ１遊技数カウンタ又はＲＴ２遊技数カウンタの値を１減算する処理を行う。ここで、ＲＴ１遊技数カウンタは、ＲＴ１区間においてゲームを行うことが可能なゲームの回数を計数するためのカウンタであり、ＲＴ２遊技数カウンタは、ＲＴ１区間においてゲームを行うことが可能なゲームの回数を計数するためのカウンタである。
【０１７３】
図２１のステップＳ１１では、ＣＰＵ３１は、前回のリール回転開始から４．１秒経過しているか否かを判別する。この判別がＹＥＳのときは、ＣＰＵ３１は、続いてステップＳ１３の処理を行い、ＮＯのときは、続いてステップＳ１２の処理を行う。ステップＳ１２では、ＣＰＵ３１は、ゲーム開始待ち時間消化の処理（ウェイト）を行い、続いてステップＳ１３の処理を行う。具体的には、ＣＰＵ３１は、前回のゲームが開始してから所定時間（例えば、所定秒（４．１秒など））経過するまでの間、遊技者のゲームを開始する操作に基づく入力を無効にする処理を行う。
【０１７４】
ステップＳ１３では、ＣＰＵ３１は、全リールの回転開始を要求し、続いてステップＳ１４の処理を行う。ステップＳ１４では、ＣＰＵ３１は、後で図２７を参照して説明するリール停止制御処理を行い、続いてステップＳ１５の処理を行う。ステップＳ１５では、ＣＰＵ３１は、後で図２８を参照して説明する表示役検索処理を行い、続いてステップＳ１６の処理を行う。ステップＳ１６では、ＣＰＵ３１は、表示役コマンド送信を行い、続いてステップＳ１７の処理を行う。
【０１７５】
ステップＳ１７では、ＣＰＵ３１は、メダル払出処理を行い、続いてステップＳ１８の処理を行う。ステップＳ１８では、ＣＰＵ３１は、払出枚数に基づいて、ボーナス終了枚数カウンタを更新し、続いてステップＳ１９の処理を行う。ここで、ボーナス終了枚数カウンタが「１」以上であれば、メダルの払出枚数に応じて当該カウンタを減算する。ステップＳ１９では、ＣＰＵ３１は、ＲＢ作動中フラグ、ＢＢ作動中フラグ、ＭＢ作動中フラグ又はＣＢ作動中フラグのいずれかがオンか否かを判別する。この判別がＹＥＳのときは、ＣＰＵ３１は、続いてステップＳ２０の処理を行い、ＮＯのときは、続いてステップＳ２１の処理を行う。
【０１７６】
ステップＳ２０では、ＣＰＵ３１は、後で図２９を参照して説明するボーナス終了チェック処理を行い、続いてステップＳ２１の処理を行う。ステップＳ２１では、ＣＰＵ３１は、後で図３０を参照して説明するボーナス作動チェック処理を行い、続いて図２０のステップＳ２の処理を行う。
【０１７７】
図２２を参照して、ボーナス作動監視処理について説明する。
【０１７８】
初めに、ＣＰＵ３１は、ＢＢ作動中フラグがオンか否かを判別する（ステップＳ３１）。この判別がＹＥＳのときは、ＣＰＵ３１は、続いてステップＳ３２の処理を行い、ＮＯのときは、続いてステップＳ３４の処理を行う。ステップＳ３２では、ＣＰＵ３１は、ＲＢ作動中フラグがオンか否かを判別する。この判別がＹＥＳのときは、ＣＰＵ３１は、続いて図２０のステップＳ４の処理を行い、ＮＯのときは、続いてステップＳ３３の処理を行う。
【０１７９】
ステップＳ３３では、ＣＰＵ３１は、ボーナス作動時テーブル（図１３）に基づいてＲＢ作動時処理を行い、続いて図２０のステップＳ４の処理を行う。具体的には、ＣＰＵ３１は、ＲＢ作動中フラグをオンに更新し、遊技可能回数及び入賞可能回数をＲＡＭ３３に格納する。すなわち、ＢＢ成立後は、ＢＢ作動中フラグがオフに更新されるまでＲＢ遊技状態となる。
【０１８０】
ステップＳ３４では、ＣＰＵ３１は、ＭＢ作動中フラグがオンであるか否かを判別する。この判別がＹＥＳのときは、ＣＰＵ３１は、続いてステップＳ３５の処理を行い、ＮＯのときは、続いて図２０のステップＳ４の処理を行う。ステップＳ３５では、ＣＰＵ３１は、ＣＢ作動中フラグをオンに更新し、続いて図２０のステップＳ４の処理を行う。すなわち、ＭＢ成立後は、ＭＢ作動中フラグがオフに更新されるまでＣＢ遊技状態となる。
【０１８１】
図２３を参照して、メダル投入・スタートチェック処理について説明する。
【０１８２】
初めに、ＣＰＵ３１は、自動投入カウンタが「０」か否か、すなわち、前回のゲームでリプレイが成立したか否かを判別する（ステップＳ４１）。この判別がＹＥＳのときは、ＣＰＵ３１は、続いてステップＳ４２の処理を行い、ＮＯのときは、続いてステップＳ４３の処理を行う。自動投入カウンタは、表示役がリプレイのとき、自動投入するメダルの枚数を計数するカウンタである。ステップＳ４２では、ＣＰＵ３１は、メダルの投入を許可し、続いてステップＳ４５の処理を行う。ステップＳ４３では、ＣＰＵ３１は、自動投入カウンタに基づいて投入枚数（投入枚数カウンタ）を更新し、続いてステップＳ４４の処理を行う。投入枚数カウンタは、投入されたメダルの枚数を計数するカウンタである。
【０１８３】
ステップＳ４４では、ＣＰＵ３１は、ベットコマンド送信を行い、続いてステップＳ４５の処理を行う。ステップＳ４５では、ＣＰＵ３１は、メダルの投入が許可されているか否かを判別する。この判別がＹＥＳのときは、ＣＰＵ３１は、続いてステップＳ４６の処理を行い、ＮＯのときは、続いてステップＳ５３の処理を行う。ステップＳ４６では、ＣＰＵ３１は、メダルセンサ・ベットスイッチのチェックを行い、続いてステップＳ４７の処理を行う。具体的には、ＣＰＵ３１は、メダルセンサ１０Ｓ、又はＢＥＴスイッチ１１〜１３からの入力のチェックを行う。
【０１８４】
ステップＳ４７では、ＣＰＵ３１は、メダルセンサ・ベットスイッチからの信号を検出したか否か、すなわち、メダルが投入されたか否かを判別する。具体的には、ＣＰＵ３１は、メダルセンサ１０Ｓ、又はＢＥＴスイッチ１１〜１３からの信号を検出したか否かを判別する。この判別がＹＥＳのときは、ＣＰＵ３１は、続いてステップＳ４８の処理を行い、ＮＯのときは、続いてステップＳ５３の処理を行う。ステップＳ４８では、ＣＰＵ３１は、投入枚数カウンタの値が最大投入枚数を下回るか否かを判別する。この判別がＹＥＳのときは、ＣＰＵ３１は、続いてステップＳ４９の処理を行い、ＮＯのときは、続いてステップＳ５２の処理を行う。
【０１８５】
ステップＳ４９では、ＣＰＵ３１は、投入枚数カウンタの値に「１」加算し、続いてステップＳ５０の処理を行う。ステップＳ５０では、ＣＰＵ３１は、有効ラインカウンタに「５」を格納し、続いてステップＳ５１の処理を行う。有効ラインカウンタは、複数の有効ラインのうち、表示役の判別が行われた有効ラインの数を識別するためのカウンタである。ステップＳ５１では、ＣＰＵ３１は、ベットコマンドを送信し、続いてステップＳ５３の処理を行う。ステップＳ５２では、ＣＰＵ３１は、クレジットカウンタに「１」を加算し、続いてステップＳ５３の処理を行う。
【０１８６】
ステップＳ５３では、ＣＰＵ３１は、投入枚数が「３」以上か否かを判別する。この判別がＹＥＳのときは、ＣＰＵ３１は、続いてステップＳ５４の処理を行い、ＮＯのときは、続いてステップＳ４５の処理を行う。ステップＳ５４では、ＣＰＵ３１は、スタートスイッチはオンか否かを判別する。この判別がＹＥＳのときは、続いて図２０のステップＳ５の処理を行い、ＮＯのときは、続いてステップＳ４５の処理を行う。
【０１８７】
図２４を参照して、遊技状態監視処理について説明する。
【０１８８】
初めに、ＣＰＵ３１は、ＲＢ作動中フラグがオンか否かを判別する（ステップＳ６１）。この判別がＹＥＳのときは、ＣＰＵ３１は、続いてステップＳ６２の処理を行い、ＮＯのときは、続いてステップＳ６３の処理を行う。ステップＳ６２では、ＣＰＵ３１は、ＲＢ遊技状態の識別子を格納し、続いて図２０のステップＳ７の処理を行う。
【０１８９】
ステップＳ６３では、ＣＰＵ３１は、ＣＢ作動中フラグはオンか否かを判別する。この判別がＹＥＳのときは、続いてステップＳ６４の処理を行い、ＮＯのときは、続いてステップＳ６５の処理を行う。ステップＳ６４では、ＣＰＵ３１は、ＣＢ遊技状態の識別子を格納し、続いて図２０のステップＳ７の処理を行う。ステップＳ６５では、ＣＰＵ３１は、一般遊技状態の識別子を格納し、続いて図２０のステップＳ７の処理を行う。このように、遊技状態監視処理では、ＣＰＵ３１は、作動中フラグ（ＲＢ作動中フラグ、ＣＢ作動中フラグ）に基づいて遊技状態を監視する。
【０１９０】
図２５及び図２６を参照して、内部抽籤処理について説明する。
【０１９１】
初めに、ＣＰＵ３１は、内部抽籤テーブル決定テーブル（図９）に基づいて、遊技状態に応じた抽籤回数を決定し（ステップＳ７１）、続いてステップＳ７２の処理を行う。ステップＳ７２では、ＣＰＵ３１は、持越役格納領域に格納されたデータ（情報）が「０」か否か（持越役の有無）を判別する。この判別がＹＥＳのときは、ＣＰＵ３１は、続いてステップＳ７４の処理を行い、ＮＯのときは、続いてステップＳ７３の処理を行う。ここで、ステップＳ７２の判別がＮＯとなる場合は、持越区間の場合である。ステップＳ７３では、ＣＰＵ３１は、抽籤回数を１２に変更（更新）し、続いてステップＳ７４の処理を行う。
【０１９２】
ステップＳ７４では、ＣＰＵ３１は、抽籤回数と同じ値を当籤番号としてＣＰＵ３１のレジスタにセットし、続いてステップＳ７５の処理を行う。これにより、一般遊技状態の場合には「１５」、ＣＢ遊技状態の場合には「７」、ＲＢ遊技状態の場合には「７」、内部当籤状態（持越区間）の場合には「１２」が当籤番号としてセットされることになる。ステップＳ７５では、ＣＰＵ３１は、ステップＳ７１で決定された遊技状態に対応する内部抽籤テーブルを参照し、設定と当籤番号と投入枚数とに基づいて下限値（Ｌ）を取得し、続いてステップＳ７６の処理を行う。ステップＳ７６では、ＣＰＵ３１は、ＲＡＭ３３における乱数値格納領域に格納されている乱数値（Ｒ）から下限値（Ｌ）を減算し（Ｒ−Ｌ）、続いてステップＳ７７の処理を行う。
【０１９３】
ステップＳ７７では、ＣＰＵ３１は、桁かりが行われたか否かを判別する。具体的には、Ｒ−Ｌの計算結果が負であるか否かを判別する。この判別がＹＥＳのときは、ＣＰＵ３１は、続いて図２６のステップＳ８６の処理を行い、ＮＯのときは、続いてステップＳ７８の処理を行う。ここで、この判別がＹＥＳとなる場合は、ＣＰＵ３１は、下限値より乱数値の方が小さい場合であり（Ｌ＞Ｒ）、ＮＯとなる場合は、下限値より乱数値の方が大きいか又は下限値と乱数値が等しい場合である（Ｌ≦Ｒ）。
【０１９４】
ステップＳ７８では、ＣＰＵ３１は、ステップＳ７１で決定された遊技状態に対応する内部抽籤テーブルを参照し、設定と当籤番号と投入枚数とに基づいて上限値（Ｕ）を取得し、続いてステップＳ７９の処理を行う。ステップＳ７９では、ＣＰＵ３１は、ＲＡＭ３３における乱数値格納領域に格納されている乱数値（Ｒ）から上限値（Ｕ）を減算し（Ｒ−Ｕ）、続いてステップＳ８０の処理を行う。
【０１９５】
ステップＳ８０では、ＣＰＵ３１は、減算により得られた値、具体的にはＲ−Ｕの計算結果が「０」であるか否かを判別する。この判別がＹＥＳのときは、ＣＰＵ３１は、続いて図２６のステップＳ８２の処理を行い、ＮＯのときは、続いてステップＳ８１の処理を行う。ここで、この判別がＹＥＳとなる場合は、乱数値と上限値が等しい場合であり（Ｒ＝Ｕ）、ＮＯとなる場合は、乱数値と上限値が等しくない場合である（Ｒ≠Ｕ）。
【０１９６】
ステップＳ８１では、ＣＰＵ３１は、桁かりが行われたか否かを判別する。具体的には、Ｒ−Ｕの計算結果が負であるか否かを判別する。この判別がＹＥＳのときは、続いて図２６のステップＳ８２の処理を行い、ＮＯのときは、続いて図２６のステップＳ８６の処理を行う。ここで、この判別がＹＥＳとなる場合は、乱数値が上限値を下回っている場合であり（Ｒ＜Ｕ）、ＮＯとなる場合は、乱数値が上限値を上回っている場合である（Ｒ＞Ｕ）。
【０１９７】
図２６のステップＳ８２では、ＣＰＵ３１は、当籤番号をＲＡＭ３３の内部抽籤結果情報格納領域に格納し、続いてステップＳ８３の処理を行う。ステップＳ８３では、ＣＰＵ３１は、内部当籤役決定テーブルを参照し、当籤番号に基づいて内部当籤役１と内部当籤役２とを決定し、続いてステップＳ８４の処理を行う。ステップＳ８４では、ＣＰＵ３１は、ステップＳ８３で決定された内部当籤役２と内部当籤役２格納領域（図１４の（２））との論理和を内部当籤役２格納領域に格納する。ここで、当籤した小役の種類に応じたビットを内部当籤役２格納領域に立てる。
【０１９８】
ステップＳ８５では、ＣＰＵ３１は、内部当籤役１とボーナスチェックデータの論理積をとり、持越役格納領域との論理和を持越役格納領域に格納し、続いてステップＳ８６の処理を行う。これにより、決定されたボーナスが持越役格納領域に格納される。なお、ボーナスチェックデータは、「１１１０００００」である。ステップＳ８６では、ＣＰＵ３１は、内部当籤役１と持越役格納領域の論理和を内部当籤役１格納領域に格納し、続いてステップＳ８７の処理を行う。
【０１９９】
ステップＳ８７では、ＣＰＵ３１は、抽籤回数を「１」減算し、続いてステップＳ８８の処理を行う。ステップＳ８８では、ＣＰＵ３１は、抽籤回数が「０」か否かを判別する。この判別がＹＥＳのときは、ＣＰＵ３１は、続いてステップＳ８９の処理を行い、ＮＯのときは、続いて図２５のステップＳ７４の処理を行う。
【０２００】
ステップＳ８９では、ＣＰＵ３１は、内部当籤役決定テーブル（図１２）を参照し、当籤番号に基づいて内部当籤役１と内部当籤役２とを決定し、続いてステップＳ９０の処理を行う。ステップＳ９０では、ＣＰＵ３１は、決定された内部当籤役２と内部当籤役２格納領域（図１４の（２））との論理和を内部当籤役２格納領域に格納する。ステップＳ９１では、ＣＰＵ３１は、内部当籤役１とボーナスチェックデータの論理積をとり、持越役格納領域との論理和を持越役格納領域に格納し、続いてステップＳ９２の処理を行う。これにより、持越役が持越役格納領域に格納されることになる。ステップＳ９２では、ＣＰＵ３１は、内部当籤役１と持越役格納領域の論理和を内部当籤役１格納領域に格納し、続いて図２０のステップＳ８の処理を行う。これにより、乱数値Ｒが内部抽籤テーブルに規定されたいずれの数値範囲にも属さず、ステップＳ８２〜ステップＳ８５が行われなかった場合には、ハズレ又は持越役が内部当籤役１格納領域に格納されることになる。
【０２０１】
図２７を参照して、リール停止制御処理について説明する。
【０２０２】
初めに、ＣＰＵ３１は、有効なストップボタンが押圧操作されたか否か、すなわち、停止スイッチ７ＬＳ，７ＣＳ，７ＲＳからの入力があるか否かを判別する（ステップＳ１０１）。この判別がＹＥＳのときは、ＣＰＵ３１は、続いてステップＳ１０４の処理を行い、ＮＯのときは、続いてステップＳ１０２の処理を行う。ステップＳ１０２では、ＣＰＵ３１は、自動停止タイマが「０」であるか否かを判別する。この判別がＹＥＳのときは、ＣＰＵ３１は、続いてステップＳ１０３の処理を行い、ＮＯのときは、続いてステップＳ１０１の処理を行う。
【０２０３】
ステップＳ１０３では、ＣＰＵ３１は、より右側の回転中のリール３Ｌ，３Ｃ，３Ｒの情報をセットし、続いてステップＳ１０４の処理を行う。この情報により、例えば、複数のリール３Ｌ，３Ｃ，３Ｒが回転中の場合、右側のリール３Ｌ，３Ｃ，３Ｒから自動停止する。ステップＳ１０４では、ＣＰＵ３１は、内部当籤役と、停止テーブルと、引込優先順位とに基づいて滑り駒数を決定し、続いてステップＳ１０５の処理を行う。ステップＳ１０５では、ＣＰＵ３１は、決定された滑り駒数と現在の図柄位置に基づいて、停止予定位置（図柄を停止させる位置）を決定し、続いてステップＳ１０６の処理を行う。ステップＳ１０６では、ＣＰＵ３１は、停止予定位置待ち状態に移行し、続いてステップＳ１０７の処理を行う。
【０２０４】
ステップＳ１０７では、ＣＰＵ３１は、リール停止コマンド送信を行い、続いてステップＳ１０８の処理を行う。ステップＳ１０８では、回転中のリール３Ｌ，３Ｃ，３Ｒは有るか否かを判別する。この判別がＹＥＳのときは、ＣＰＵ３１は、続いてステップＳ１０１の処理を行い、ＮＯのときは、続いて図２１のステップＳ１５の処理を行う。
【０２０５】
図２８を参照して、表示役検索処理について説明する。
【０２０６】
初めに、ＣＰＵ３１は、有効ラインカウンタを取得し（ステップＳ１１１）、続いてステップＳ１１２の処理を行う。ゲーム開始時には、有効ラインカウンタに「５」が格納されている（図２３のステップＳ５０）。ステップＳ１１２では、ＣＰＵ３１は、有効ラインカウンタの値が「０」であるか否かを判別する。この判別がＹＥＳのときは、ＣＰＵ３１は、続いて図２１のステップＳ１６の処理を行い、ＮＯのときは、続いてステップＳ１１３の処理を行う。有効ラインカウンタの値は、５本の有効ラインの全てについて表示役の検索が終了したときに「０」になる。
【０２０７】
ステップＳ１１３では、ＣＰＵ３１は、図柄組合せテーブル（図８）に基づいて表示役を決定し、続いてステップＳ１１４の処理を行う。ステップＳ１１４では、ＣＰＵ３１は、表示役と表示役格納領域の論理和を表示役格納領域に格納し、続いてステップＳ１１５の処理を行う。ステップＳ１１５では、ＣＰＵ３１は、表示役と投入枚数に基づいて払出枚数を更新し、続いてステップＳ１１６の処理を行う。ステップＳ１１６では、ＣＰＵ３１は、検索対象の有効ラインを変更し、続いてステップＳ１１７の処理を行う。ステップＳ１１７では、ＣＰＵ３１は、有効ラインカウンタの値を「１」減算し、続いてステップＳ１１２の処理を行う。
【０２０８】
図２９を参照して、ボーナス終了チェック処理について説明する。
【０２０９】
初めに、ＣＰＵ３１は、ＲＢ作動中フラグがオンか否かを判別する（ステップＳ１２１）。この判別がＹＥＳのときは、ＣＰＵ３１は、続いてステップＳ１２４の処理を行い、ＮＯのときは、続いてステップＳ１２２の処理を行う。ステップＳ１２２では、ＣＰＵ３１は、ＣＢ作動中フラグをオフに更新し、続いてステップＳ１２３の処理を行う。ステップＳ１２３では、ＣＰＵ３１は、ボーナス終了枚数カウンタの値が「０」であるか否かを判別する。この判別がＹＥＳのときは、ＣＰＵ３１は、続いてステップＳ１２７の処理を行い、ＮＯのときは、続いて図２１のステップＳ２１の処理を行う。
【０２１０】
ステップＳ１２４では、ＣＰＵ３１は、入賞が成立したか否かを判別する。この判別がＹＥＳのときは、ＣＰＵ３１は、続いてステップＳ１２５の処理を行い、ＮＯのときは、続いてステップＳ１３３の処理を行う。ステップＳ１２５では、ＣＰＵ３１は、ボーナス終了枚数カウンタが「０」であるか否かを判別する。この判別がＹＥＳのときは、ＣＰＵ３１は、続いてステップＳ１２６の処理を行い、ＮＯのときは、続いてステップＳ１３１の処理を行う。
【０２１１】
ステップＳ１２６では、ＣＰＵ３１は、ＲＢ終了時処理を行い、続いてステップＳ１２７の処理を行う。具体的には、ＣＰＵ３１は、ＲＢ作動中フラグのクリア、入賞可能回数及び遊技可能回数のクリアなどを行う。ステップＳ１２７では、ＣＰＵ３１は、ボーナス終了時処理を行い、続いてステップＳ１２８の処理を行う。具体的には、ＣＰＵ３１は、ＢＢ作動中フラグのクリア、ボーナス終了枚数カウンタのクリアなどを行う。ステップＳ１２８では、ＣＰＵ３１は、ＢＢの終了時か否かを判別する。この判別がＹＥＳのときは、ＣＰＵ３１は、続いてステップＳ１２９の処理を行い、ＮＯのときは、続いてステップＳ１３０の処理を行う。ステップＳ１２９では、ＲＴ１遊技数カウンタに「３０」を格納し、続いて図２１のステップＳ２１の処理を行う。ステップＳ１３０では、ＲＴ１遊技数カウンタに「１０」を格納し、続いて図２１のステップＳ２１の処理を行う。すなわち、ＢＢ又はＲＢの終了を契機として、リプレイＢが高い確率で当籤するＲＴ１区間が開始する（いわゆるチャンスゾーン（ＣＺ）に突入する）。
【０２１２】
ステップＳ１３１では、ＣＰＵ３１は、入賞可能回数を「１」減算し、続いてステップＳ１３２の処理を行う。ステップＳ１３２では、ＣＰＵ３１は、入賞可能回数が「０」か否かを判別する。この判別がＹＥＳのときは、ＣＰＵ３１は、続いてステップＳ１３５の処理を行い、ＮＯのときは、続いてステップＳ１３３の処理を行う。ステップＳ１３３では、ＣＰＵ３１は、遊技可能回数を「１」減算し、続いてステップＳ１３４の処理を行う。ステップＳ１３４では、ＣＰＵ３１は、遊技可能回数が「０」か否かを判別する。この判別がＹＥＳのときは、ＣＰＵ３１は、続いてステップＳ１３５の処理を行い、ＮＯのときは、続いて図２１のステップＳ２１の処理を行う。ステップＳ１３５では、ＣＰＵ３１は、ＲＢ終了時処理を行い、続いて図２１のステップＳ２１の処理を行う。
【０２１３】
図３０を参照して、ボーナス作動チェック処理について説明する。
【０２１４】
初めに、ＣＰＵ３１は、表示役はリプレイであるか否かを判別する（ステップＳ１４１）。この判別がＹＥＳのときは、ＣＰＵ３１は、続いてステップＳ１４２の処理を行い、ＮＯのときは、続いてステップＳ１４５の処理を行う。ステップＳ１４２では、ＣＰＵ３１は、投入枚数カウンタを自動投入カウンタに複写し、続いて図２０のステップＳ２の処理を行う。具体的には、ステップＳ１４２では、ＣＰＵ３１は、今回のゲームのために投入された投入枚数と同数を自動投入カウンタにセット（自動投入）する。
【０２１５】
ステップＳ１４３では、ＣＰＵ３１は、表示役がリプレイＢであるか否かを判別する。この判別がＹＥＳのときは、ＣＰＵ３１は、続いてステップＳ１４４の処理を行い、ＮＯのときは、続いて図２０のステップＳ２の処理を行う。ステップＳ１４４では、ＣＰＵ３１は、ＲＴ２遊技数カウンタに「１５０」を格納し、続いて図２０のステップＳ２の処理を行う。
【０２１６】
ステップＳ１４５では、ＣＰＵ３１は、表示役がＢＢ１又はＢＢ２であるか否かを判別する。この判別がＹＥＳのときは、ＣＰＵ３１は、続いてステップＳ１４６の処理を行い、ＮＯのときは、続いてステップＳ１４８の処理を行う。ステップＳ１４６では、ＣＰＵ３１は、ボーナス作動時テーブルに基づいてＢＢ作動時処理を行い、続いてステップＳ１４７の処理を行う。ＢＢ作動時処理では、ＣＰＵ３１は、ＢＢ作動中フラグをオンに更新し、ボーナス終了枚数カウンタに「２３０」をセットする。ステップＳ１４７では、ＣＰＵ３１は、持越役をクリアし、続いて図２０のステップＳ２の処理を行う。
【０２１７】
ステップＳ１４８では、ＣＰＵ３１は、表示役がＭＢであるか否かを判別する。この判別がＹＥＳのときは、ＣＰＵ３１は、続いてステップＳ１４９の処理を行い、ＮＯのときは、続いて図２０のステップＳ２の処理を行う。ステップＳ１４９では、ＣＰＵ３１は、ボーナス作動時テーブルに基づいてＭＢ作動時処理を行い、続いてステップＳ１５０の処理を行う。ＭＢ作動時処理では、ＣＰＵ３１は、ＭＢ作動中フラグをオンに更新し、ボーナス終了枚数カウンタに「１１４」をセットする。ステップＳ１５０では、ＣＰＵ３１は、持越役をクリアし、続いて図２０のステップＳ２の処理を行う。なお、ステップＳ１４７及びステップＳ１５０では、ＣＰＵ３１は、持越役をクリアするとともに、ＲＴ１遊技数カウンタ及びＲＴ２遊技数カウンタをクリア（「０」を格納）する。
【０２１８】
図３１を参照して、メインＣＰＵ（ＣＰＵ３１）の制御による割込処理について説明する。この定期割込処理は、１．１１７３ｍｓ毎に行われる。
【０２１９】
初めに、ＣＰＵ３１は、レジスタの退避を行い（ステップＳ１５１）、続いてステップＳ１５２の処理を行う。ステップＳ１５２では、ＣＰＵ３１は、入力ポートチェック処理を行い、続いてステップＳ１５３の処理を行う。具体的には、ＣＰＵ３１は、スタートレバー６の操作によるスタートスイッチ６Ｓからの入力等の有無を確認する。ステップＳ１５３では、ＣＰＵ３１は、リール制御処理を行い、続いてステップＳ１５４の処理を行う。具体的には、ＣＰＵ３１は、制御対象のリール３Ｌ，３Ｃ，３Ｒを示す情報をリール識別子として設定し、そのリール３Ｌ，３Ｃ，３Ｒの駆動を制御する。
【０２２０】
ステップＳ１５４では、ＣＰＵ３１は、ランプ・７ＳＥＧ駆動処理を行い、続いてステップＳ１５５の処理を行う。具体的には、ＣＰＵ３１は、ゲームに賭けられているメダルの枚数に基づいてＢＥＴランプ１７ａ〜１７ｃを点灯させる。また、貯留（クレジット）されているメダルの数、小役の成立時のメダルの払出枚数等をクレジット表示部１９に表示させる。ステップＳ１５５では、ＣＰＵ３１は、レジスタを復帰し、定期割込処理を終了する。
【０２２１】
図３２を参照して、サブＣＰＵ（画像制御マイコン８１）によるリセット割込処理について説明する。
【０２２２】
初めに電源が投入され、リセット端子に電圧が印加されることにより、画像制御マイコン８１は、リセット割込を発生させ、その割込の発生に基づいて、プログラムＲＯＭ８３に記憶された「サブＣＰＵによるリセット割込処理」を順次行うように構成されている。
【０２２３】
初めに、画像制御マイコン８１は、ワークＲＡＭ８４、制御ＲＡＭ８７、ビデオＲＡＭ８９などの初期化を行い（ステップＳ１６１）、続いてステップＳ１６２の処理を行う。ステップＳ１６２では、画像制御マイコン８１は、後で図３３を参照して説明するコマンド受信処理を行い、続いてステップＳ１６３の処理を行う。このコマンド受信処理では、画像制御マイコン８１は、受信したコマンドの種類や情報に応じて、ＬＥＤ類１００ａ、スピーカ９Ｌ，９Ｒ、液晶表示装置１３１、ランプ類１００ｂ等による演出識別子を決定する。ステップＳ１６３では、画像制御マイコン８１は、音・ランプ制御回路（ｍＳｕｂ）７２ｂへコマンドを出力するためのコマンド（ＬＥＤ類１００ａ等の各制御回路に対して、決定された演出識別子に応じたコマンド）出力処理を行い、続いてステップＳ１６１の処理を行う。
【０２２４】
図３３を参照して、コマンド受信処理について説明する。
【０２２５】
初めに、画像制御マイコン８１は、コマンドを受信したか否かを判別する（ステップＳ１７１）。この判別がＹＥＳのときは、画像制御マイコン８１は、続いてステップＳ１７２の処理を行い、ＮＯのときは、続いて図３２のステップＳ１６３の処理を行う。ステップＳ１７２では、コマンドに応じて行われる処理のアドレスなどが規定されたジャンプテーブル（図示せず）に基づいて、ジャンプ先の処理を決定し、当該処理を行い、基本的に、続いて図３２のステップＳ１６３の処理を行う。ジャンプ先の処理には、遊技開始処理（後述の図３４）、表示処理（後述の図３５）などがある。
【０２２６】
図３４を参照して、遊技開始処理について説明する。この遊技開始処理は、主制御回路７１からスタートコマンドを受信したことを契機として実行される。
【０２２７】
初めに、画像制御マイコン８１は、ＲＴ２区間であるか否かの判別を行う（ステップＳ１８１）。この判別がＹＥＳのときは、画像制御マイコン８１は、続いてステップＳ１８２の処理を行い、ＮＯのときは、続いてステップＳ１８４の処理を行う。
【０２２８】
ステップＳ１８２では、画像制御マイコン８１は、キャラクター、持越役、及び設定値に基づいて、演出テーブルを決定する。続いて、画像制御マイコン８１は、演出テーブルに基づいて演出識別子を決定、すなわち演出識別子に対応する演出の内容を決定する（ステップＳ１８３）、続いて図３２のステップＳ１６３の処理を行う。
【０２２９】
ステップＳ１８４では、画像制御マイコン８１は、所定の演出テーブルに基づいて内部当籤役に応じる演出識別子を決定、すなわち演出識別子に対応する演出の内容を決定し、続いて図３２のステップＳ１６３の処理を行う。
【０２３０】
図３５を参照して、表示処理について説明する。この表示処理は、主制御回路７１から表示役コマンドを受信したことを契機として実行される。
【０２３１】
初めに、画像制御マイコン８１は、表示役がリプレイＢであるか否かの判別を行う（ステップＳ１９１）。この判別がＹＥＳのときは、画像制御マイコン８１は、キャラクターの選択に係る演出（表示例Ａ）を決定し、続いて図３２のステップＳ１６３の処理を行い（ステップＳ１９２）、ＮＯのときは、表示役に応じる演出を決定し（ステップＳ１９３）、続いて図３２のステップＳ１６３の処理を行う。
【０２３２】
以上、実施例について説明したが、本発明はこれに限られるものではない。
【０２３３】
実施例では、特定の演出識別子に対応する特定の演出が行われる確率を相対的に高くすることにより特定の演出が行われる頻度を多くして、特定の演出に基づいて、遊技者の関心の高い内容を推測できる構成を採用したが、これに限られるものではない。例えば、投入操作、開始操作、第１停止操作、第２停止操作、第３停止操作、及び全リール３Ｌ，３Ｃ，３Ｒの停止を契機として行われる演出のいずれかを特定の演出に対応付けることにより、遊技者の関心の高い内容を推測できるようにしてもよい。また、例えば、演出が行われている時間（いわゆる演出時間）に応じて特定の演出を把握できるようにして、遊技者の関心の高い内容を推測できるようにしてもよい。このようにすることで、特定の演出が魅力に富む演出となり、特定の演出に対して遊技者の抱く期待感をさらに高めることができる。
【０２３４】
実施例では、演出テーブルは、キャラクタ識別子、持越役の有無、及び設定値ごとに設けられているが、これに限られるものではない。例えば、キャラクタ識別子、持越役の有無、及び設定値に加え、自動停止の有無、又は停止操作の順序ごとに演出テーブルを設けてもよい。このような遊技者による判断が反映される要素（自動停止の有無及び停止操作の順序）に基づいて演出を行うことで、演出に対して遊技者の抱く期待感をさらに高めることができる。
【０２３５】
実施例では、ＲＴ２区間における演出に係る演出識別子の決定の構成を示したが、これに限られるものではない。例えば、ＲＴ１区間における演出に係る演出識別子の決定の構成をＲＴ２区間における演出に係る演出識別子の決定の構成と同様の構成にすることができる。このようにすることで、ＲＴ１区間で行われる演出が多様になるので、ＲＴ１区間における演出に対する倦怠感を遊技者に与える可能性を低減できる。
【０２３６】
また、別の態様は、前記図柄表示手段により再遊技に係る図柄組合せが表示されると、再遊技を行う再遊技手段と、前記当籤役決定手段により再遊技に係る当籤役が所定の確率で決定される通常確率状態と比べて前記当籤役決定手段により再遊技に係る当籤役が決定される確率が高い高確率状態の作動を行う高確率状態作動手段を備え、前記高確率状態作動手段は、遊技者にとって有利な遊技状態であるボーナス遊技状態（例えば、ＢＢ、ＭＢ等）の終了を契機に、第２の再遊技（例えば、リプレイＢ）が高確率となる第２高確率状態の作動を行い、第２の再遊技に係る図柄組合せが前記図柄表示手段により表示されたことを契機に、第１の再遊技（例えば、リプレイＡ）が高確率となる第１高確率状態の作動を行うことを特徴とする遊技機。
【０２３７】
この構成により、高確率状態の作動が行われる条件を複数設け、夫々に応じて高確率状態の作動を行うようにしたので、高確率状態の作動が行われる契機を多様なものとすることが可能となる。また、高確率状態の作動が行われることに対して遊技者が期待を抱く機会を多く提供することも可能となる。この結果、遊技が単調となることを防止し、遊技の興趣を向上させることが可能となる。具体的には、第２高確率状態が第１高確率状態を作動させる遊技状態となり、第１高確率状態を発生させるためには第２高確率状態を必ず経由するようにしたので、有利な遊技状態である第２高確率状態に移行するために、期待がもてる遊技状態を発生させることが可能となり、遊技者の期待感を高めることが可能となる。
【０２３８】
更に、本実施例のような遊技機１の他、パチンコ遊技機、パロット等の他の遊技機にも本発明を適用できる。さらに、上述の遊技機１での動作を家庭用ゲーム機用として擬似的に実行するようなゲームプログラムにおいても、本発明を適用してゲームを実行することができる。その場合、ゲームプログラムを記録する記録媒体は、ＣＤ−ＲＯＭ、ＦＤ（フレキシブルディスク）、その他任意の記録媒体を利用できる。
【図面の簡単な説明】
【０２３９】
【図１】遊技機の外観を示す斜視図。
【図２】液晶表示装置のパネル表示部、液晶表示部及び固定表示部を示す図。
【図３】液晶表示装置の概略構成を示す斜視図。
【図４】リール上に配列された図柄の例を示す図。
【図５】電気回路の構成を示すブロック図。
【図６】副制御回路の構成を示すブロック図。
【図７】液晶表示部における表示例を示す図。
【図８】図柄組合せテーブルを示す図。
【図９】内部抽籤テーブル決定テーブルを示す図。
【図１０】内部抽籤テーブルを示す図。
【図１１】内部抽籤テーブルを示す図。
【図１２】内部当籤役決定テーブルを示す図。
【図１３】ボーナス作動時テーブルを示す図。
【図１４】各種格納領域を示す図。
【図１５】演出テーブルを示す図。
【図１６】演出テーブルを示す図。
【図１７】演出テーブルを示す図。
【図１８】演出テーブルを示す図。
【図１９】演出テーブルを示す図。
【図２０】主制御回路のメインフローチャート。
【図２１】図２０に続くフローチャート。
【図２２】ボーナス作動監視処理を示すフローチャート。
【図２３】メダル投入・スタートチェック処理を示すフローチャート。
【図２４】遊技状態監視処理を示すフローチャート。
【図２５】内部抽籤処理を示すフローチャート。
【図２６】図２５に続くフローチャート。
【図２７】リール停止制御処理を示すフローチャート。
【図２８】表示役検索処理を示すフローチャート。
【図２９】ボーナス終了チェック処理を示すフローチャート。
【図３０】ボーナス作動チェック処理を示すフローチャート。
【図３１】メインＣＰＵの制御による割込処理を示すフローチャート。
【図３２】サブＣＰＵによるリセット割込処理を示すフローチャート。
【図３３】コマンド受信処理を示すフローチャート。
【図３４】遊技開始処理を示すフローチャート。
【図３５】表示処理を示すフローチャート。
【符号の説明】
【０２４０】
１    遊技機
２    前面ドア
３Ｌ，３Ｃ，３Ｒ    リール
６    スタートレバー
７Ｌ，７Ｃ，７Ｒ    停止ボタン
３０    マイクロコンピュータ
３１    ＣＰＵ
３２    ＲＯＭ
３３    ＲＡＭ
７１    主制御回路
７２    副制御回路
【図１】
2007295963.tif 000003
【図２】
2007295963.tif 000004
【図３】
2007295963.tif 000005
【図４】
2007295963.tif 000006
【図５】
2007295963.tif 000007
【図６】
2007295963.tif 000008
【図７】
2007295963.tif 000009
【図８】
2007295963.tif 000010
【図９】
2007295963.tif 000011
【図１０】
2007295963.tif 000012
【図１１】
2007295963.tif 000013
【図１２】
2007295963.tif 000014
【図１３】
2007295963.tif 000015
【図１４】
2007295963.tif 000016
【図１５】
2007295963.tif 000017
【図１６】
2007295963.tif 000018
【図１７】
2007295963.tif 000019
【図１８】
2007295963.tif 000020
【図１９】
2007295963.tif 000021
【図２０】
2007295963.tif 000022
【図２１】
2007295963.tif 000023
【図２２】
2007295963.tif 000024
【図２３】
2007295963.tif 000025
【図２４】
2007295963.tif 000026
【図２５】
2007295963.tif 000027
【図２６】
2007295963.tif 000028
【図２７】
2007295963.tif 000029
【図２８】
2007295963.tif 000030
【図２９】
2007295963.tif 000031
【図３０】
2007295963.tif 000032
【図３１】
2007295963.tif 000033
【図３２】
2007295963.tif 000034
【図３３】
2007295963.tif 000035
【図３４】
2007295963.tif 000036
【図３５】
2007295963.tif 000037